(57)【要約】【課題】調湿装置が保有する液体吸収剤の量の増加を抑え、且つ調湿装置の大型化を抑制する。【解決手段】液式除湿モジュール（21）は、液体吸収剤に被処理空気中の水分を吸収させて該被処理空気を除湿する。再生モジュール（31）は、液体吸収剤の水分を再生用空気に放出させて液体吸収剤を再生する。１つの液槽（24）は、液式除湿モジュール（21）にて被処理空気の除湿に利用された液体吸収剤と再生モジュール（31）にて再生された液体吸収剤とを貯留する。ポンプ（37）は、液槽（24）に貯留された液体吸収剤を液式除湿モジュール（21）及び再生モジュール（31）それぞれに送る。【選択図】図１
2018118245.tif 000002
【特許請求の範囲】
【請求項１】
液体吸収剤に被処理空気中の水分を吸収させて該被処理空気を除湿する液式除湿部（21）と、
上記液体吸収剤の水分を再生用空気に放出させて上記液体吸収剤を再生する再生部（31）と、
上記液式除湿部（21）にて上記被処理空気の除湿に利用された上記液体吸収剤と上記再生部（31）にて再生された上記液体吸収剤とを貯留する１つの液槽（24,35）と、
上記液槽（24,35）に貯留された上記液体吸収剤を上記液式除湿部（21）及び上記再生部（31）それぞれに送るポンプ（37,37a,37b）と
を備えることを特徴とする調湿装置。
【請求項２】
請求項１において、
上記液槽（24）は、上記再生部（31）よりも上記液式除湿部（21）寄りに位置し、
上記液槽（24）には、上記再生部（31）にて再生された上記液体吸収剤を上記液槽（24）に送る配管（15c）が接続されている
ことを特徴とする調湿装置。
【請求項３】
請求項１において、
上記液槽（24）は、上記液式除湿部（21）及び上記再生部（31）の下方に位置する
ことを特徴とする調湿装置。
【請求項４】
請求項２または請求項３において、
上記液式除湿部（21）は、
上記液体吸収剤と上記被処理空気とを接触させるための除湿側気液接触部（23）と、
上記除湿側気液接触部（23）の下方において上記被処理空気と接触した上記液体吸収剤を受けるための除湿側液受部（24）と
を有し、
上記再生部（31）は、
上記液体吸収剤と上記再生用空気とを接触させるための再生側気液接触部（33）と、
上記再生側気液接触部（33）の下方において上記再生用空気と接触した上記液体吸収剤を受けるための再生側液受部（34）と
を有し、
上記液槽（24）は上記除湿側液受部（24）を兼ねている
ことを特徴とする調湿装置。
【請求項５】
請求項１において、
上記液式除湿部（21）は、
上記液体吸収剤と上記被処理空気とを接触させるための除湿側気液接触部（23）と、
上記除湿側気液接触部（23）の下方において上記被処理空気と接触した上記液体吸収剤を受けるための除湿側液受部（26）と
を有し、
上記再生部（31）は、
上記液体吸収剤と上記再生用空気とを接触させるための再生側気液接触部（33）と、
上記再生側気液接触部（33）の下方において上記再生用空気と接触した上記液体吸収剤を受けるための再生側液受部（34）と
を有し、
上記除湿側液受部（26）、上記再生側液受部（34）及び上記液槽（24）を繋ぐ第１接続配管（16）、
を更に備え、
上記液式除湿部（21）にて上記被処理空気の除湿に利用された上記液体吸収剤と上記再生部（31）にて再生された上記液体吸収剤とは、上記第１接続配管（16）内にて混合された後に上記液槽（24）に流入される
ことを特徴とする調湿装置。
【請求項６】
請求項５において、
上記液槽（24）は、上記再生部（31）よりも上記液式除湿部（21）寄りに位置する
ことを特徴とする調湿装置。
【請求項７】
請求項１において、
上記液式除湿部（21）は、
上記液体吸収剤と上記被処理空気とを接触させるための除湿側気液接触部（23）と、
上記除湿側気液接触部（23）の下方において上記被処理空気と接触した上記液体吸収剤を受けるための除湿側液受部（26）と
を有し、
上記再生部（31）は、
上記液体吸収剤と上記再生用空気とを接触させるための再生側気液接触部（33）と、
上記再生側気液接触部（33）の下方において上記再生用空気と接触した上記液体吸収剤を受けるための再生側液受部（34）と
を有し、
上記再生側液受部（34）と上記除湿側液受部（26）とを繋ぐ第２接続配管（17）と、
上記除湿側液受部（26）から上記液槽（24）に上記液体吸収剤を送る液送部（18）と、
を更に備え、
上記再生部（31）にて再生された上記液体吸収剤は、上記再生側液受部（34）から上記第２接続配管（17）を介して上記除湿側液受部（26）に流入した後、上記被処理空気の除湿に利用された上記液体吸収剤と上記除湿側液受部（26）にて混合され、
上記液槽（24）には、混合された後の上記液体吸収剤が上記液送部（18）を介して流入される
ことを特徴とする調湿装置。
【請求項８】
請求項１において、
上記液式除湿部（21）は、
上記液体吸収剤と上記被処理空気とを接触させるための除湿側気液接触部（23）と、
上記除湿側気液接触部（23）の下方において上記被処理空気と接触した上記液体吸収剤を受けるための除湿側液受部（26）と
を有し、
上記再生部（31）は、
上記液体吸収剤と上記再生用空気とを接触させるための再生側気液接触部（33）と、
上記再生側気液接触部（33）の下方において上記再生用空気と接触した上記液体吸収剤を受けるための再生側液受部（34）と
を有し、
上記再生側液受部（34）と上記除湿側液受部（26）とを繋ぐ第２接続配管（17）と、
上記再生側液受部（34）から上記液槽（24）に上記液体吸収剤を送る液送部（18）と、
を更に備え、
上記液式除湿部（21）にて上記被処理空気の除湿に利用された上記液体吸収剤は、上記除湿側液受部（26）から上記第２接続配管（17）を介して上記再生側液受部（34）に流入した後、再生された上記液体吸収剤と上記再生側液受部（34）にて混合され、
上記液槽（24）には、混合された後の上記液体吸収剤が上記液送部（18）を介して流入される
ことを特徴とする調湿装置。
【請求項９】
請求項１から請求項４のいずれか１つにおいて、
上記液槽（24,35）では、上記液式除湿部（21）にて上記被処理空気の除湿に利用された上記液体吸収剤と上記再生部（31）にて再生された上記液体吸収剤とが混合される
ことを特徴とする調湿装置。
【請求項１０】
請求項１から請求項９のいずれか１つにおいて、
上記液式除湿部（21）よりも上記被処理空気の流れ方向上流側に位置し、上記液式除湿部（21）にて除湿される前の上記被処理空気を冷却して除湿する冷却除湿部（48）、
を更に備えることを特徴とする調湿装置。
【発明の詳細な説明】
【技術分野】
【０００１】
本発明は、液体吸収剤を用いて空気を調湿する調湿装置に関するものである。
【背景技術】
【０００２】
室内の湿度を調整する装置には、特許文献１に示すように、吸湿性を有する液体を液体吸収剤として用いたタイプがある。
【０００３】
特許文献１の調湿装置は、室内を除湿する除湿部（処理機）と、除湿に利用された液体吸収剤を再生する再生部（再生機）とを備える。除湿部（処理機）は、冷却された液体吸収剤に被処理空気を通すことにより該空気中の水分を吸収して該空気を除湿する。再生部は、除湿に用いられた後加熱された液体吸収剤に再生用空気を通すことにより、該液体吸収剤の水分を空気中に放出して液体吸収剤を再生する。
【０００４】
更に、特許文献１の除湿部は、気液接触部（コンタクタ）と液槽とを有する。冷却された液体吸収剤は、気液接触部において被処理空気と接触し、その後液槽に蓄えられる。
【先行技術文献】
【特許文献】
【０００５】
【特許文献１】特開２０１０−３６０９３号公報
【発明の概要】
【発明が解決しようとする課題】
【０００６】
上記特許文献１では、再生部も、気液接触部及び液槽を有する。加熱された液体吸収剤は、再生部の気液接触部において再生用空気と接触して再生され、その後再生部の液槽に蓄えられる。
【０００７】
このように、上記特許文献１では、除湿部及び再生部にて別々に液槽が設けられており、調湿装置は大型化してしまう。また、液槽が２つであるため、調湿装置が保有する液体吸収剤の総量は比較的多く、調湿装置のコストも高くなってしまう。
【０００８】
本発明は、かかる点に鑑みてなされたものであり、その目的は、調湿装置が保有する液体吸収剤の量の増加を抑え、且つ調湿装置の大型化を抑制することである。
【課題を解決するための手段】
【０００９】
第１の発明は、液体吸収剤に被処理空気中の水分を吸収させて該被処理空気を除湿する液式除湿部（21）と、上記液体吸収剤の水分を再生用空気に放出させて上記液体吸収剤を再生する再生部（31）と、上記液式除湿部（21）にて上記被処理空気の除湿に利用された上記液体吸収剤と上記再生部（31）にて再生された上記液体吸収剤とを貯留する１つの液槽（24,35）と、上記液槽（24,35）に貯留された上記液体吸収剤を上記液式除湿部（21）及び上記再生部（31）それぞれに送るポンプ（37,37a,37b）とを備えることを特徴とする調湿装置である。
【００１０】
ここでは、液式除湿部（21）及び再生部（31）それぞれに液槽が設けられているのではなく、液式除湿部（21）及び再生部（31）に共通した１つの液槽（24,35）が設けられている。これにより、液式除湿部（21）及び再生部（31）それぞれに液槽が設けられる場合よりも、調湿装置（10）のサイズは小さくなる。従って、調湿装置（10）のコストを抑えられる。そして、液槽（24）内の液体吸収剤は、ポンプ（37,37a,37b）によって、積極的に液式除湿部（21）及び再生部（31）それぞれに滞りなく送られる。
【００１１】
第２の発明は、第１の発明において、上記液槽（24）は、上記再生部（31）よりも上記液式除湿部（21）寄りに位置し、上記液槽（24）には、上記再生部（31）にて再生された上記液体吸収剤を上記液槽（24）に送る配管（15c）が接続されていることを特徴とする調湿装置である。
【００１２】
液体吸収剤の循環量は、再生部（31）よりも液式除湿部（21）の方が多い。ここでは、液槽（24）が、液式除湿部（21）寄りに位置しているため、液槽（24）内の液体吸収剤を液式除湿部（21）に送るための配管の長さを、再生部（31）に送るための配管よりも短くすることができる。従って、ポンプ（37,37a,37b）の動力を小さくすることができる。
【００１３】
第３の発明は、第１の発明において、上記液槽（24）は、上記液式除湿部（21）及び上記再生部（31）の下方に位置することを特徴とする調湿装置である。
【００１４】
これにより、液式除湿部（21）及び再生部（31）それぞれからの液体吸収剤には、重力により液槽（24）に流れ込む力が作用する。従って、液体吸収剤を液式除湿部（21）及び再生部（31）から液槽（24）に流入させるためのポンプの動力を小さくするか、または当該ポンプを設けないようにすることができる。
【００１５】
第４の発明は、第２の発明または第３の発明において、上記液式除湿部（21）は、上記液体吸収剤と上記被処理空気とを接触させるための除湿側気液接触部（23）と、上記除湿側気液接触部（23）の下方において上記被処理空気と接触した上記液体吸収剤を受けるための除湿側液受部（24）とを有し、上記再生部（31）は、上記液体吸収剤と上記再生用空気とを接触させるための再生側気液接触部（33）と、上記再生側気液接触部（33）の下方において上記再生用空気と接触した上記液体吸収剤を受けるための再生側液受部（34）とを有し、上記液槽（24）は上記除湿側液受部（24）を兼ねていることを特徴とする調湿装置である。
【００１６】
これにより、除湿側液受部を液槽とは別途設けずに済むため、その分調湿装置（10）の構成が簡略化できる。
【００１７】
第５の発明は、第１の発明において、上記液式除湿部（21）は、上記液体吸収剤と上記被処理空気とを接触させるための除湿側気液接触部（23）と、上記除湿側気液接触部（23）の下方において上記被処理空気と接触した上記液体吸収剤を受けるための除湿側液受部（26）とを有し、上記再生部（31）は、上記液体吸収剤と上記再生用空気とを接触させるための再生側気液接触部（33）と、上記再生側気液接触部（33）の下方において上記再生用空気と接触した上記液体吸収剤を受けるための再生側液受部（34）とを有し、上記除湿側液受部（26）、上記再生側液受部（34）及び上記液槽（24）を繋ぐ第１接続配管（16）、を更に備え、上記液式除湿部（21）にて上記被処理空気の除湿に利用された上記液体吸収剤と上記再生部（31）にて再生された上記液体吸収剤とは、上記第１接続配管（16）内にて混合された後に上記液槽（24）に流入されることを特徴とする調湿装置である。
【００１８】
これにより、液槽（24）にて液体吸収剤の混合を行う場合よりも、液槽（24）には十分に混合され温度が均一となった液体吸収剤が貯留される。従って、液槽（24）内の温度ムラは生じにくくなる。
【００１９】
第６の発明は、第５の発明において、上記液槽（24）は、上記再生部（31）よりも上記液式除湿部（21）寄りに位置することを特徴とする調湿装置である。
【００２０】
液体吸収剤の循環量は、再生部（31）よりも液式除湿部（21）の方が多い。ここでは、液槽（24）が、液式除湿部（21）寄りに位置しているため、液槽（24）内の液体吸収剤を液式除湿部（21）に送るための配管の長さを、再生部（31）に送るための配管よりも短くすることができる。従って、ポンプ（37）の動力を小さくすることができる。
【００２１】
第７の発明は、第１の発明において、上記液式除湿部（21）は、上記液体吸収剤と上記被処理空気とを接触させるための除湿側気液接触部（23）と、上記除湿側気液接触部（23）の下方において上記被処理空気と接触した上記液体吸収剤を受けるための除湿側液受部（26）とを有し、上記再生部（31）は、上記液体吸収剤と上記再生用空気とを接触させるための再生側気液接触部（33）と、上記再生側気液接触部（33）の下方において上記再生用空気と接触した上記液体吸収剤を受けるための再生側液受部（34）とを有し、上記再生側液受部（34）と上記除湿側液受部（26）とを繋ぐ第２接続配管（17）と、上記除湿側液受部（26）から上記液槽（24）に上記液体吸収剤を送る液送部（18）と、を更に備え、上記再生部（31）にて再生された上記液体吸収剤は、上記再生側液受部（34）から上記第２接続配管（17）を介して上記除湿側液受部（26）に流入した後、上記被処理空気の除湿に利用された上記液体吸収剤と上記除湿側液受部（26）にて混合され、上記液槽（24）には、混合された後の上記液体吸収剤が上記液送部（18）を介して流入されることを特徴とする調湿装置である。
【００２２】
これにより、液槽（24）にて液体吸収剤の混合を行う場合よりも、液槽（24）には十分に混合され温度が均一となった液体吸収剤が貯留される。従って、液槽（24）内の温度ムラは生じにくくなる。
【００２３】
第８の発明は、第１の発明において、上記液式除湿部（21）は、上記液体吸収剤と上記被処理空気とを接触させるための除湿側気液接触部（23）と、上記除湿側気液接触部（23）の下方において上記被処理空気と接触した上記液体吸収剤を受けるための除湿側液受部（26）とを有し、上記再生部（31）は、上記液体吸収剤と上記再生用空気とを接触させるための再生側気液接触部（33）と、上記再生側気液接触部（33）の下方において上記再生用空気と接触した上記液体吸収剤を受けるための再生側液受部（34）とを有し、上記再生側液受部（34）と上記除湿側液受部（26）とを繋ぐ第２接続配管（17）と、上記再生側液受部（34）から上記液槽（24）に上記液体吸収剤を送る液送部（18）と、を更に備え、上記液式除湿部（21）にて上記被処理空気の除湿に利用された上記液体吸収剤は、上記除湿側液受部（26）から上記第２接続配管（17）を介して上記再生側液受部（34）に流入した後、再生された上記液体吸収剤と上記再生側液受部（34）にて混合され、上記液槽（24）には、混合された後の上記液体吸収剤が上記液送部（18）を介して流入されることを特徴とする調湿装置である。
【００２４】
これにより、液槽（24）にて液体吸収剤の混合を行う場合よりも、液槽（24）には十分に混合され温度が均一となった液体吸収剤が貯留される。従って、液槽（24）内の温度ムラは生じにくくなる。
【００２５】
第９の発明は、第１の発明から第４の発明のいずれか１つにおいて、上記液槽（24,35）では、上記液式除湿部（21）にて上記被処理空気の除湿に利用された上記液体吸収剤と上記再生部（31）にて再生された上記液体吸収剤とが混合されることを特徴とする調湿装置である。
【００２６】
第１０の発明は、第１の発明から第９の発明のいずれか１つにおいて、上記液式除湿部（21）よりも上記被処理空気の流れ方向上流側に位置し、上記液式除湿部（21）にて除湿される前の上記被処理空気を冷却して除湿する冷却除湿部（48）、を更に備えることを特徴とする調湿装置である。
【００２７】
ここでは、被処理空気は、冷却除湿部（48）で冷却除湿された後に、液体吸収剤を用いて液式除湿部（21）で更に除湿される。そのため、被処理空気を液式除湿部（21）のみで除湿する場合に比して、液式除湿部（21）での除湿量は少ない。従って、液式除湿部（21）で除湿に必要とする液体吸収剤の量も、液式除湿部（21）のみで除湿する場合よりも少なくて済む。また、液式除湿部（21）における液体吸収剤の濃度変化は、液式除湿部（21）のみで除湿する場合に比して小さくなるため、濃度の異なる液体吸収剤を１つの液槽（24）にて貯留しても、濃度の異なる液体吸収剤の混合による除湿性能への影響は小さい。即ち、１つの液槽（24）にて液式除湿部（21）と再生部（31）それぞれからの液体吸収剤を貯留しても、調湿装置（10）の性能面にて問題となることはない。
【発明の効果】
【００２８】
本発明によれば、液式除湿部（21）及び再生部（31）それぞれに液槽が設けられる場合よりも、調湿装置（10）のサイズは小さくなる。従って、調湿装置（10）のコストを抑えられる。
【図面の簡単な説明】
【００２９】
【図１】図１は、実施形態１の調湿装置の構成を概略的に示す図である。
【図２】図２は、実施形態２の調湿装置の構成を概略的に示す図である。
【図３】図３は、実施形態３の調湿装置の構成を概略的に示す図である。
【図４】図４は、実施形態４の調湿装置の構成を概略的に示す図である。
【図５】図５は、実施形態５の調湿装置の構成を概略的に示す図である。
【図６】図６は、実施形態６の調湿装置の構成を概略的に示す図である。
【図７】図７は、実施形態７の調湿装置の構成を概略的に示す図である。
【図８】図８は、実施形態７の変形例に係る調湿装置の構成を概略的に示す図である。
【発明を実施するための形態】
【００３０】
以下、本発明の実施形態を図面に基づいて詳細に説明する。なお、以下の実施形態は、本質的に好ましい例示であって、本発明、その適用物、あるいはその用途の範囲を制限することを意図するものではない。
【００３１】
≪実施形態１≫
＜概要＞
本実施形態１に係る調湿装置（10）は、オフィスビルや住宅などの内部空間（以下、室内）を、主に液体吸収剤を用いて除湿する装置である。
【００３２】
図１に示すように、本実施形態１に係る調湿装置（10）は、空気を除湿する除湿モジュール（20）を備える。除湿モジュール（20）は、液体吸収剤を用いて除湿する液式除湿モジュール（21）（液式除湿部に相当）と、冷媒を用いて除湿する冷媒冷却式除湿モジュール（48）（冷却除湿部に相当）とを含む。
【００３３】
このような調湿装置（10）は、液体吸収剤が循環する吸収剤回路（15）と、冷媒が循環する冷媒回路（40）とを備える。上記液式除湿モジュール（21）は、吸収剤回路（15）を構成する機器に含まれる。吸収剤回路（15）を構成する機器全ては、室内とは別の空間（例えば機械室）に設置される。冷媒回路（40）を構成する機器には、上記冷媒冷却式除湿モジュール（48）の他、圧縮機（42）及び放熱用凝縮器（43）（放熱用熱交換器に相当）が含まれる。圧縮機（42）及び放熱用凝縮器（43）は、室外機（41）に含まれ、屋外に設置される。冷媒回路（40）を構成する機器のうち、圧縮機（42）及び放熱用凝縮器（43）以外の機器は、上記吸収剤回路（15）を構成する機器と同様、室内とは別の空間（例えば機械室）に設置される。
【００３４】
−液体吸収剤−
上記液体吸収剤とは、空気中の水分（水蒸気）を吸収できる液体である。一般的に、調湿装置（10）にて用いられる液体吸収剤としては、塩化リチウム水溶液及び臭化リチウム水溶液が挙げられる。これらは、吸湿性能が優れているが、比較的高い腐食性を有する水溶液である。これらの水溶液を用いる場合、腐食防止のための対策を調湿装置（10）に別途講じる必要が生じるため、これらの水溶液を安全に使用することは困難である。
【００３５】
これに対し、本実施形態１では、上記水溶液よりも吸湿性能は劣るものの腐食性が低い性質の液体を液体吸収剤として用いることができる。当該液体は、腐食性が低いため安全に使用することができる。このような液体としては、イオン液体が挙げられる。イオン液体とは、イオンで構成される塩であって、摂氏１００度以下にて液体の状態である性質を有する。
【００３６】
＜調湿装置の構成＞
調湿装置（10）は、上記吸収剤回路（15）と、上記冷媒回路（40）と、各回路（15,40）における各種制御を行うためのコントローラ（50）とを備える。
【００３７】
−吸収剤回路−
吸収剤回路（15）は、液体吸収剤と空気との間における水分の授受を行うためのモジュールとして、上記液式除湿モジュール（21）、再生モジュール（31）（再生部に相当）を有する。更に、吸収剤回路（15）は、ポンプ（37）、流量調整弁（39）、液加熱熱交換器（44）及び液冷却熱交換器（46）を有する。吸収剤回路（15）は、各モジュール（21,31）及びポンプ（37）等が接続配管（15a〜15e）によって接続されることで構成されている。
【００３８】
−液式除湿モジュール−
液式除湿モジュール（21）は、液体吸収剤に被処理空気中の水分を吸収させて該被処理空気を除湿する。具体的に、液式除湿モジュール（21）は、除湿側液体供給部（22）と、除湿側気液接触部（23）と、液槽（24）とを有する。
【００３９】
除湿側液体供給部（22）は、例えば、接続配管（15a）の一端に接続された配管部分に、液体吸収剤を滴下するための滴下口が該配管部分の延設方向に並んで複数形成された構成を有する。
【００４０】
除湿側気液接触部（23）は、親水性の充填材で構成されており、除湿側液体供給部（22）の下方に位置する。除湿側気液接触部（23）は、被処理空気である外気（OA）が供給されると、この外気（OA）を、除湿側液体供給部（22）から滴下された液体吸収剤と接触させる。これにより、除湿側気液接触部（23）を通過した外気（OA）に含まれる水分量は、通過前よりも少なくなっており、除湿された状態となっている。つまり、除湿側気液接触部（23）に滴下され外気（OA）と接触した後の液体吸収剤の濃度は、除湿側気液接触部（23）に滴下される前よりも薄くなっている。
【００４１】
液槽（24）は、再生モジュール（31）よりも液式除湿モジュール（21）寄りであって、具体的には除湿側気液接触部（23）の下方に位置する。液槽（24）は、除湿側気液接触部（23）において外気（OA）と接触した後の液体吸収剤を受けるための除湿側液受部としての機能を兼ねており、除湿利用後の液体吸収剤を貯留する。即ち、本実施形態１に係る液式除湿モジュール（21）では、除湿側液受部と液槽とが併設されていない。これにより、除湿側液受部と液槽とを併設する場合に比して、調湿装置（10）のコスト上昇は抑えられる。
【００４２】
−再生モジュール−
再生モジュール（31）は、液体吸収剤の水分を再生用空気に放出させて液体吸収剤を再生する。具体的に、再生モジュール（31）は、再生側液体供給部（32）と、再生側気液接触部（33）と、再生側液受部（34）とを有する。
【００４３】
再生側液体供給部（32）は、例えば、接続配管（15b）の一端に接続された配管部分に、液体吸収剤を滴下するための滴下口が該配管部分の延設方向に並んで複数形成された構成を有する。
【００４４】
再生側気液接触部（33）は、親水性の充填材で構成されており、再生側液体供給部（32）の下方に位置する。再生側気液接触部（33）は、再生用空気である室内空気（RA）が供給されると、この室内空気（RA）を、再生側液体供給部（32）から滴下された液体吸収剤と接触させる。これにより、滴下された液体吸収剤に含まれる水分量は、再生用空気に放出され、再生側気液接触部（33）を通過した液体吸収剤の濃度は、再生側気液接触部（33）に滴下される前よりも濃くなっている。
【００４５】
再生側液受部（34）は、液式除湿モジュール（21）よりも再生モジュール（31）寄りであって、具体的には再生側気液接触部（33）の下方に位置する。再生側液受部（34）は、再生側気液接触部（33）において室内空気（RA）と接触し再生された液体吸収剤を受ける。再生側液受部（34）と液槽（24）とは、接続配管（15c）によって接続されており、再生側液受部（34）が受けた液体吸収剤（即ち、再生された液体吸収剤）は、接続配管（15c）を介して１つの液槽（24）に送られる。
【００４６】
即ち、本実施形態１に係る液槽（24）には、液式除湿モジュール（21）の除湿側気液接触部（23）にて被処理空気（外気（OA））の除湿に利用された液体吸収剤と、再生モジュール（31）の再生側気液接触部（33）にて再生された液体吸収剤とが、混合されて貯留される。除湿に利用された液体吸収剤の濃度は、再生された液体吸収剤の濃度よりも薄い。従って、除湿に利用された濃度の薄い液体吸収剤と、再生された濃度の薄い液体吸収剤とが、１つの液槽（24）を共通のタンクとして貯留される。
【００４７】
特に、接続配管（15c）は、再生側液受部（34）の底部を液入口とし、液槽（24）の側部を液出口として、再生側液受部（34）及び液槽（24）を繋いでいる。液出口は、液入口よりも下方にある。そのため、再生側液受部（34）から液槽（24）へは、重力（液体吸収剤の自重）を利用して流れ込むようになっている。従って、接続配管（15c）の間に、液体吸収剤を再生側液受部（34）から液槽（24）へと積極的に送るポンプ等の動力を設けずとも、再生された液体吸収剤と除湿に利用された液体吸収剤とを１つの液槽（24）に集めることができる。
【００４８】
なお、液槽（24）自体が再生側液受部（34）よりも低い位置に設置されていることがより好ましい。これにより、液体吸収剤は、再生側液受部（34）から液槽（24）へと、重力によってより移動し易くなるためである。
【００４９】
−ポンプ−
ポンプ（37）は、接続配管（15d）及び接続配管（15e）に接続されている。ポンプ（37）は、液槽（24）に貯留された液体吸収剤を、再び液式除湿モジュール（21）及び再生モジュール（31）それぞれに送る。即ち、ポンプ（37）は、液式除湿モジュール（21）及び再生モジュール（31）の間で液体吸収剤を循環させるためのものであると言える。
【００５０】
ここで、接続配管（15d）は、一端が液槽（24）に接続され、他端がポンプ（37）の入力側に接続されている。接続配管（15e）は、一端がポンプ（37）の出力側に接続されている。接続配管（15e）の他端は、２経路に分岐し、一方の経路は液冷却熱交換器（46）に接続され、他方の経路は流量調整弁（39）を介して液加熱熱交換器（44）に接続されている。
【００５１】
−流量調整弁−
流量調整弁（39）は、電磁比例弁で構成されており、開度を調節することで液体吸収剤の流量を調整する。液槽（24）に貯留された液体吸収剤は、ポンプ（37）から出た後、液冷却熱交換器（46）へのみならず、液加熱熱交換器（44）へと分岐して流れることができる。流量調整弁（39）の開度を調節することで、液冷却熱交換器（46）への液体吸収剤の供給量と液加熱熱交換器（44）への液体吸収剤の供給量とが所定の比率に調整される。
【００５２】
−液加熱熱交換器−
液加熱熱交換器（44）は、例えばプレート式であって、図示していないが、液体吸収剤が通過する吸収剤通路と、冷媒が通過する冷媒通路とを有する。吸収剤通路の入口側は接続配管（15e）に接続され、吸収剤通路の出口側は接続配管（15b）を介して再生モジュール（31）の再生側液体供給部（32）に接続される。冷媒通路の入口側は、接続配管（40c）を介して放熱用凝縮器（43）に接続され、冷媒通路の出口側は、接続配管（40d）を介して膨張弁（45）に接続される。液加熱熱交換器（44）は、冷媒の凝縮器として機能し、吸収剤通路を通過する液体吸収剤と冷媒通路を通過する冷媒とを熱交換することにより、再生モジュール（31）にて再生される前の液体吸収剤を冷媒によって加熱する。液加熱熱交換器（44）を通過した後の液体吸収剤は、再生モジュール（31）に送られ、再生される。
【００５３】
−液冷却熱交換器−
液冷却熱交換器（46）は、例えばプレート式であって、図示していないが、上記液加熱熱交換器（44）と同様、液体吸収剤が通過する吸収剤通路と、冷媒が通過する冷媒通路とを有する。吸収剤通路の入口側は接続配管（15e）に接続され、吸収剤通路の出口側は接続配管（15a）を介して液式除湿モジュール（21）の除湿側液体供給部（22）に接続される。冷媒通路の入口側は、接続配管（40e）を介して膨張弁（45）に接続され、冷媒通路の出口側は、接続配管（40f）を介して冷媒冷却式除湿モジュール（48）に接続される。液冷却熱交換器（46）は、冷媒の蒸発器として機能し、吸収剤通路を通過する液体吸収剤と冷媒通路を通過する冷媒とを熱交換する。具体的に、液冷却熱交換器（46）では、液式除湿モジュール（21）にて除湿に利用される前の液体吸収剤が、冷媒によって冷却される。液冷却熱交換器（46）を通過後の液体吸収剤は、液式除湿モジュール（21）に送られ、除湿に利用される。
【００５４】
−冷媒回路−
冷媒回路（40）は、圧縮機（42）、放熱用凝縮器（43）、液加熱熱交換器（44）、膨張弁（45）、液冷却熱交換器（46）及び冷媒冷却式除湿モジュール（48）が、接続配管（40a〜40f）によってこの順で直列に接続されることで構成されている。以下では、上述した液加熱熱交換器（44）及び液冷却熱交換器（46）以外の冷媒回路（40）の構成機器について説明する。
【００５５】
−圧縮機−
圧縮機（42）は、接続配管（40a）を介して冷媒冷却式除湿モジュール（48）の冷媒流れ方向下流側に位置し、冷媒を圧縮して吐出する。圧縮機（42）は、容量可変式であって、図示しないインバータ回路によって回転数（運転周波数）が変更される。
【００５６】
−放熱用凝縮器−
放熱用凝縮器（43）は、例えばフィンアンドチューブ式であって、冷媒の入口は接続配管（40b）を介して圧縮機（42）の吐出側に接続され、冷媒の出口は接続配管（40c）を介して液加熱熱交換器（44）における冷媒通路の入口と接続されている。即ち、放熱用凝縮器（43）は、冷媒冷却式除湿モジュール（48）の冷媒流れ方向下流側に位置する。放熱用凝縮器（43）は、冷媒冷却式除湿モジュール（48）を通過し圧縮機（42）から吐出された冷媒の熱を放熱流体に放出させて、該冷媒を凝縮する。放熱後の冷媒は、液加熱熱交換器（44）にて、更に液体吸収剤に放熱して凝縮する。
【００５７】
ここで、上記放熱流体とは、室内の空気（RA）以外であって、例えば外気（OA）、水などが挙げられる。本実施形態１では、放熱流体が外気（OA）であって、放熱用凝縮器（43）は、外気（OA）と冷媒とを熱交換する空気−冷媒熱交換器である場合を例に取る。
【００５８】
また、放熱用凝縮器（43）付近には、放熱用凝縮器（43）に放熱流体である外気（OA）を供給するためのファン（43a）が設置されている。ファン（43a）は、放熱用凝縮器（43）にて冷媒の放熱が必要な場合に運転するが、これについては、“−供給制御部−”にて説明する。
【００５９】
−膨張弁−
膨張弁（45）は、電子膨張弁で構成されている。膨張弁（45）は、接続配管（40d）を介して液加熱熱交換器（44）における冷媒通路の出口側と接続され、接続配管（40e）を介して液冷却熱交換器（46）における冷媒通路の入口側と接続されている。膨張弁（45）は、開度を変更することで、冷媒回路（40）内を循環する冷媒を減圧する。
【００６０】
−冷媒冷却式除湿モジュール−
冷媒冷却式除湿モジュール（48）は、例えばフィンアンドチューブ式であって、被処理空気（外気（OA））を冷媒により冷却して除湿する。特に、冷媒冷却式除湿モジュール（48）は、液式除湿モジュール（21）よりも外気（OA）の流れ方向上流側に位置する。冷媒冷却式除湿モジュール（48）は、液式除湿モジュール（21）にて除湿される前の被処理空気（外気（OA））を冷却除湿する。即ち、本実施形態１では、被処理空気（外気（OA））は、液式除湿モジュール（21）及び冷媒冷却式除湿モジュール（48）の双方にて除湿され、その後供給空気（SA）として室内に供給される。
【００６１】
冷媒冷却式除湿モジュール（48）の下方には、ドレンパン（48a）が設置されている。冷媒冷却式除湿モジュール（48）では、被処理空気（外気（OA））を冷却除湿した際に該空気から吸収した水分が冷媒冷却式除湿モジュール（48）の表面で結露して、下方に落下する。ドレンパン（48a）は、この結露水を回収するための受け皿である。ドレンパン（48a）は、ドレン排出配管（48b）と接続されており、当該ドレン排出配管（48b）を通じて結露水を調湿装置（10）の外部に排出する。
【００６２】
このように、ドレンパン（48a）は、液式除湿モジュール（21）における液槽（24）とは別途設けられている。仮に、液槽（24）に結露水が混入すると、液槽（24）における液体吸収剤の濃度が混入しない場合に比べて低下し、液体吸収剤を再生モジュール（31）にて再生するのに必要なエネルギーが増大してしまう。しかし、ここでは、ドレンパン（48a）と液槽（24）とが別途設けられているため、上述したような問題が発生する可能性は低くなる。
【００６３】
更に、冷媒冷却式除湿モジュール（48）及び液式除湿モジュール（21）の間には、フィルタ（49）が位置している。フィルタ（49）は、液体吸収剤が液式除湿モジュール（21）側から冷媒冷却式除湿モジュール（48）側に飛散することを防止するとともに、結露水が冷媒冷却式除湿モジュール（48）側から液式除湿モジュール（21）側に飛散することを防止する。このフィルタ（49）により、液体吸収剤と結露水とが混ざる可能性は、確実に低くなっている。
【００６４】
ところで、上記結露水は、ドレンパン（48a）及びドレン排出配管（48b）を介して屋外に排出される。そのため、冷媒冷却式除湿モジュール（48）が外気（OA）を冷却除湿した際の凝縮熱の放出手段が別途必要となる。本実施形態１では、当該凝縮熱の放出手段として、上述した放熱用凝縮器（43）が存在する。特に、放熱用凝縮器（43）は、屋外に排出された結露水に相当する気化熱分を回収するべく、上述のように、室内空気（RA）以外の放熱流体に放熱を行う。従って、冷媒の凝縮温度（凝縮圧力）の過度な上昇は抑えられ、凝縮温度（凝縮圧力）の過度な上昇を異常と判断して調湿装置（10）が運転を停止する事態を回避できる。
【００６５】
このように、液冷却熱交換器（46）及び冷媒冷却式除湿モジュール（48）は、液加熱熱交換器（44）と共に１の冷媒回路（40）に接続されている。本実施形態１では、ヒートポンプ熱源とも言える冷媒回路（40）を複数の回路の組合せで複雑に設けてはおらず、冷媒回路（40）の構成が簡略化されている。
【００６６】
そして、本実施形態１に係る調湿装置（10）の除湿モジュール（20）は、上述の通り、冷媒冷却式除湿モジュール（48）と液式除湿モジュール（21）とを有する。それ故、イオン液体のように吸湿性能が比較的低い液体を液体吸収剤として用いても、更に、空調負荷が比較的高いとしても、被処理空気は２つのモジュール（48,21）により十分に除湿された状態にて室内に供給される。また、被処理空気の除湿を行うモジュール（48,21）が２つあるため、冷媒冷却式除湿モジュール（48）における除湿量と液式除湿モジュール（21）における除湿量の比を、設計段階や制御段階にて調整することも可能であり、設計の自由度が大きいと言える。
【００６７】
一方で、調湿装置（10）の再生側は、液体吸収剤の再生モジュール（31）のみであり、冷媒冷却式除湿モジュールのような液体吸収剤以外を使用したモジュールは存在しない。つまり、再生側の構成は、除湿側に比べて簡略化されていると言える。
【００６８】
−コントローラ−
コントローラ（50）は、メモリ及びＣＰＵ等で構成されるマイクロコンピュータであって、調湿装置（10）を構成する各種機器（圧縮機（42）、ポンプ（37）、流量調整弁（39）、ファン（43a）、膨張弁（45））と電気的に接続されている。メモリ内に格納されているプログラムをＣＰＵが読み出して実行することで、コントローラ（50）は、接続された各種機器の動作を制御する。
【００６９】
具体的に、本実施形態１に係るコントローラ（50）は、冷媒の凝縮温度に基づくファン（43a）の運転制御、空調負荷に基づく各弁（39,45）の開度制御及びポンプ（37）の運転制御等を行う。以下では、コントローラ（50）が有する機能部のうち、ファン（43a）の運転制御を行う機能部である供給制御部（51）について説明する。
【００７０】
−供給制御部−
供給制御部（51）は、冷媒回路（40）における冷媒の凝縮温度が所定値を超える場合、ファン（43a）を運転させて放熱流体である外気（OA）を放熱用凝縮器（43）に供給させる。この場合、放熱用凝縮器（43）は、供給された外気（OA）に冷媒の熱を放出する。
【００７１】
一方、供給制御部（51）は、冷媒回路（40）における冷媒の凝縮温度が所定値以下の場合、ファン（43a）の運転を停止させて放熱用凝縮器（43）への外気（OA）の供給を停止させる。この場合、放熱用凝縮器（43）において、冷媒の熱は外気（OA）には放出されない。
【００７２】
冷媒の凝縮温度が所定値以下である場合にファン（43a）を運転させると、放熱用凝縮器（43）では、冷媒の凝縮温度が比較的低い状態であるにも拘わらず、冷媒は外気（OA）に放熱することとなる。すると、液加熱熱交換器（44）での液体吸収剤の加熱度合いは小さくなり、液体吸収剤は十分に再生できなくなってしまう。それ故、供給制御部（51）は、冷媒の凝縮温度が所定値以下の場合、放熱用凝縮器（43）に外気（OA）を供給させないように制御する。この制御により、液体吸収剤の再生不足を回避できるため、調湿装置（10）の除湿能力の低下を抑制することができる。
【００７３】
また、空調負荷が比較的小さく冷媒冷却式除湿モジュール（48）での発熱（凝縮熱）量がさほどない場合、除湿モジュール（20）側の発熱分を再生モジュール（31）での再生用空気への放熱分で十分に処理でき、冷媒の凝縮温度は比較的低くなる。そこで冷媒の凝縮温度が所定値以下である場合、調湿装置（10）では、ファン（43a）を停止し、ファン（43a）での消費電力分を削減する。
【００７４】
＜調湿装置の動作＞
ここでは、本実施形態１に係る調湿装置（10）の除湿動作について説明する。
【００７５】
冷媒回路（40）では、圧縮機（42）は運転し、放熱用凝縮器（43）及び液加熱熱交換器（44）は冷媒の凝縮器として機能し、液冷却熱交換器（46）及び冷媒冷却式除湿モジュール（48）は冷媒の蒸発器として機能する。
【００７６】
圧縮機（42）で圧縮された冷媒は、放熱用凝縮器（43）にて放熱流体（外気（OA））に放熱して凝縮された後、液加熱熱交換器（44）にて液体吸収剤に放熱して更に凝縮する。液加熱熱交換器（44）を流出した冷媒は、膨張弁（45）で減圧され、液冷却熱交換器（46）に流入する。
【００７７】
液冷却熱交換器（46）において、冷媒は、液体吸収剤から吸熱し、液体吸収剤を冷却する。その後、冷媒は、冷媒冷却式除湿モジュール（48）に流入し、該モジュール（48）を通過する被処理空気（外気（OA））から水分を吸収して蒸発し、当該空気を冷却除湿する。冷媒冷却式除湿モジュール（48）を通過後の冷媒は、圧縮機（42）に吸入される。
【００７８】
吸収剤回路（15）では、ポンプ（37）は作動し、流量調整弁（39）は所定の開度に調節される。液式除湿モジュール（21）では、液体吸収剤は、除湿側液体供給部（22）から除湿側気液接触部（23）へと滴下される。除湿側気液接触部（23）には、冷媒冷却式除湿モジュール（48）にて冷房除湿された被処理空気（外気（OA））が供給され、滴下された液体吸収剤は、当該空気から水分を吸収して当該空気を除湿する。冷媒冷却式除湿モジュール（48）及び液式除湿モジュール（21）の両方にて除湿された後の空気は、供給空気（SA）として室内に供給される。
【００７９】
被処理空気（外気（OA））から水分を吸収した液体吸収剤は、濃度が薄まったものとなっており、除湿側気液接触部（23）の下部にある液槽（24）に貯留される。液槽（24）内の液体吸収剤は、接続配管（15d）を通過後、接続配管（15e）において液加熱熱交換器（44）側及び液冷却熱交換器（46）側それぞれに分岐して流れる。
【００８０】
液加熱熱交換器（44）側に流れた液体吸収剤は、当該熱交換器（44）にて冷媒によって加熱され、その後再生モジュール（31）に流入する。再生モジュール（31）に流入した液体吸収剤は、再生側液体供給部（32）から再生側気液接触部（33）へと滴下される。再生側気液接触部（33）には、再生用空気（室内空気（RA））が供給され、滴下された液体吸収剤は、当該空気に水分を放出する。これにより、液体吸収剤は、濃度が高い状態となり、再生される。再生された液体吸収剤は、再生側気液接触部（33）の下部にある再生側液受部（34）にて一旦受け止められた後、接続配管（15c）を介して液槽（24）に貯留される。即ち、液槽（24）には、再生モジュール（31）で濃度が濃くなった液体吸収剤と、液式除湿モジュール（21）で濃度が薄くなった液体吸収剤とが入れられて混合される。
【００８１】
なお、液体吸収剤の再生に利用された空気は、排気空気（EA）として屋外に排出される。
【００８２】
液冷却熱交換器（46）側に流れた液体吸収剤は、当該熱交換器（46）にて冷媒によって冷却され、その後液式除湿モジュール（21）に流入する。液式除湿モジュール（21）に流入した液体吸収剤は、再び除湿側液体供給部（22）から除湿側気液接触部（23）へと滴下される。
【００８３】
＜液槽における液体吸収剤について＞
上述の通り、液槽（24）には、再生されて濃度が濃くなった液体吸収剤と、除湿に利用されて濃度が薄まった液体吸収剤とが入れられて、混合される。混合された液体吸収剤は上述の通り吸収剤回路（15）内を循環するが、本実施形態１では、この混合に伴って除湿能力の低下等が引き起こされるおそれは低い。これは、以下の理由による。
【００８４】
除湿モジュール（20）では、上述したように、液式除湿モジュール（21）及び冷媒冷却式除湿モジュール（48）の２つのモジュールにて２段階に亘って被処理空気（外気（OA））を除湿する構成となっている。特に、液式除湿モジュール（21）は、被処理空気の流れ方向下流側に位置するため、先に冷媒冷却式除湿モジュール（48）で冷却除湿された後の外気（OA）を、更に除湿する。それ故、液式除湿モジュール（21）の除湿量は、冷媒冷却式除湿モジュール（48）が設けられていない場合に比して低く、液式除湿モジュール（21）における液体吸収剤の濃度は、滴下前と滴下後とで約１％以下の程度しか変わらない。
【００８５】
また、２段階に亘って被処理空気（外気（OA））を除湿する構成であるため、液式除湿モジュール（21）が除湿動作で使用する液体吸収剤の量は、冷媒冷却式除湿モジュール（48）が設けられておらず液式除湿モジュールのみで除湿を行う場合に比して少ない。それ故、液式除湿モジュール（21）において上記の程度濃度が変化した液体吸収剤が液槽（24）に入る量も、当然少なくなる。
【００８６】
以上に鑑みると、液槽（24）において、再生されて濃度が濃くなった液体吸収剤と、除湿に利用されて濃度が薄まった液体吸収剤とが混合されても、当該混合による濃度変化の度合いは非常に小さいと言える。混合された液体吸収剤を液式除湿モジュール（21）の除湿に利用する本実施形態１での除湿能力は、仮に再生モジュール（31）で再生された直後の液体吸収剤を液式除湿モジュール（21）の除湿に直接使用したとした場合の除湿能力と比較しても、同程度である。
【００８７】
従って、液式除湿モジュール（21）側及び再生モジュール（31）側それぞれに専用の液槽を設けるのではなく、本実施形態１のように、液式除湿モジュール（21）及び再生モジュール（31）の共通となる液槽（24）を、サイズを大型化させることなく設けることができる。サイズが大型化していない液槽（24）を１つ設けることから、調湿装置（10）のサイズを小さくすることができ、調湿装置（10）の製造コストも液槽（24）が１つで済むため削減することができる。
【００８８】
＜効果＞
本実施形態１では、液式除湿モジュール（21）にて除湿に利用された液体吸収剤と再生モジュール（31）にて再生された液体吸収剤とは、１つの液槽（24）に混合されて貯留される。即ち、液式除湿モジュール（21）及び再生モジュール（31）それぞれに液槽が設けられているのではなく、液式除湿モジュール（21）及び再生モジュール（31）に共通した１つの液槽（24）が設けられている。これにより、液式除湿モジュール（21）及び再生モジュール（31）それぞれに液槽が設けられる場合よりも、調湿装置（10）のサイズは小さくなる。従って、調湿装置（10）のコストを抑えられる。そして、液槽（24）内の液体吸収剤は、ポンプ（37）によって、積極的に液式除湿モジュール（21）及び再生モジュール（31）それぞれに滞りなく送られる。
【００８９】
ところで、本実施形態１では、液体吸収剤の循環量を、再生モジュール（31）よりも液式除湿モジュール（21）の方を多くすることで、除湿効率を向上することが考えられる。本実施形態１では、液槽（24）が、液式除湿モジュール（21）寄りに位置しているため、液槽（24）内の液体吸収剤を液式除湿モジュール（21）に送るための接続配管（15d,15e,15a）の長さを、液体吸収剤を再生モジュール（31）に送るための接続配管（15d,15e,15b）よりも短くすることができる。従って、ポンプ（37）の動力を小さくすることができる。
【００９０】
また、本実施形態１では、液槽（24）は液式除湿モジュール（21）の除湿側液受部としての機能を兼ねている。これにより、除湿側液受部を液槽（24）とは別途設けずに済むため、その分調湿装置（10）の構成が簡略化できる。
【００９１】
また、本実施形態１では、被処理空気（外気（OA））は、冷媒冷却式除湿モジュール（48）で冷却除湿された後に、液体吸収剤を用いて液式除湿モジュール（21）で更に除湿される。そのため、被処理空気（外気（OA））を液式除湿モジュール（21）のみで除湿する場合に比して、液式除湿モジュール（21）での除湿量は少ない。従って、液式除湿モジュール（21）で除湿に必要とする液体吸収剤の量も、液式除湿モジュール（21）のみで除湿する場合よりも少なくて済む。また、液式除湿モジュール（21）における液体吸収剤の濃度変化は、液式除湿モジュール（21）のみで除湿する場合に比して小さくなるため、濃度の異なる液体吸収剤を１つの液槽（24）にて混合して貯留しても、当該混合による除湿性能への影響は小さい。即ち、１つの液槽（24）にて液式除湿モジュール（21）と再生モジュール（31）それぞれからの液体吸収剤を混合して貯留しても、調湿装置（10）の性能面にて問題となることはない。
【００９２】
また、本実施形態１では、液槽（24）の液出口には１台のポンプ（37）が接続され、そのポンプ（37）から接続配管（15e）を介して液式除湿モジュール（21）及び再生モジュール（31）それぞれに液体吸収剤を分岐して流す構成となっている。このように複数台のポンプを使用せずとも、液式除湿モジュール（21）及び再生モジュール（31）に液体吸収剤を送ることができ、ポンプ（37）の数が少ない分調湿装置（10）の製造コストや消費電力量を削減することができる。また、ポンプ（37）の数が少ないため、その分調湿装置（10）のメンテナンスに要する時間も短縮できる。
【００９３】
≪実施形態２≫
本実施形態２の調湿装置（10）の構成を図２に示す。図２では、冷媒回路（40）の構成は図１と同様であるが、吸収剤回路（15）の構成が若干異なる。なお、図２では、図１と対応する構成に、図１と同様の符合を付している。以下では、構成の異なる部分についてのみ説明する。
【００９４】
液体吸収剤は、上記実施形態１と同様である。
【００９５】
吸収剤回路（15）は、液式除湿モジュール（21）、再生モジュール（31）、ポンプ（37）、流量調整弁（39）、液加熱熱交換器（44）及び液冷却熱交換器（46）が接続配管（15a,15b,15d,15e）によって接続されることで構成されている。このうち、ポンプ（37）、流量調整弁（39）、液加熱熱交換器（44）及び液冷却熱交換器（46）は、上記実施形態１に係るポンプ（37）、流量調整弁（39）、液加熱熱交換器（44）及び液冷却熱交換器（46）と同様である。
【００９６】
液式除湿モジュール（21）は、上記実施形態１と同様の除湿側液体供給部（22）及び除湿側気液接触部（23）を有し、再生モジュール（31）は、上記実施形態１と同様の再生側液体供給部（32）及び再生側気液接触部（33）を有する。
【００９７】
液式除湿モジュール（21）及び再生モジュール（31）は、いずれも、各モジュール（21,31）専用の液受部を有していない。その代わりに、液式除湿モジュール（21）及び再生モジュール（31）の下方には、１つの液槽（24）が設置されている。
【００９８】
液槽（24）は、除湿側気液接触部（23）にて除湿に利用された後の液体吸収剤と再生側気液接触部（33）にて再生された液体吸収剤との両方を受けることができるように、両気液接触部（23,33）の下方に位置する。そして、液槽（24）は、除湿に利用された後の液体吸収剤と再生された液体吸収剤とを、混合して貯留する。即ち、液槽（24）は、除湿側の液受部及び再生側の液受部を兼ねている。従って、本実施形態２では、図１の再生側液受部（34）と、再生側液受部（34）及び液槽（24）を繋ぐ接続配管（15c）とは、設けられていない。
【００９９】
なお、本実施形態２に係る調湿装置（10）の動作は、上記実施形態１と同様である。
【０１００】
このような本実施形態２に係る調湿装置（10）は、上記実施形態１の効果に加え、以下の効果も奏する。
【０１０１】
本実施形態２では、液槽（24）は、液式除湿モジュール（21）及び再生モジュール（31）の下方に位置している。これにより、液式除湿モジュール（21）及び再生モジュール（31）それぞれからの液体吸収剤には、重力により液槽（24）に流れ込む力が作用する。従って、液体吸収剤を液式除湿モジュール（21）及び再生モジュール（31）から液槽（24）に流入させるためのポンプを図２に示すように設けずとも良い。
【０１０２】
≪実施形態３≫
本実施形態３の調湿装置（10）の構成を図３に示す。図３では、冷媒回路（40）の構成は図１と同様であるが、吸収剤回路（15）の構成が若干異なる。なお、図３では、図１と対応する構成に、図１と同様の符合を付している。以下では、構成の異なる部分についてのみ説明する。
【０１０３】
液体吸収剤は、上記実施形態１と同様である。
【０１０４】
吸収剤回路（15）は、液式除湿モジュール（21）、再生モジュール（31）、２つのポンプ（37a,37b）、液加熱熱交換器（44）及び液冷却熱交換器（46）が接続配管（15a〜15c,15f〜15i）によって接続されることで構成されている。このうち、液式除湿モジュール（21）、再生モジュール（31）、液加熱熱交換器（44）及び液冷却熱交換器（46）は、上記実施形態１に係る液式除湿モジュール（21）、再生モジュール（31）、液加熱熱交換器（44）及び液冷却熱交換器（46）と同様である。
【０１０５】
本実施形態３においても、上記実施形態１と同様、液式除湿モジュール（21）の除湿側気液接触部（23）の下方に位置する１つの液槽（24）から、ポンプ（37a,37b）を介して液加熱熱交換器（44）及び液冷却熱交換器（46）それぞれに、液槽（24）内の液体吸収剤が送られる。しかし、本実施形態３では、上記実施形態１とは異なり、図１の流量調整弁（39）が設けられない代わりに、１つの液槽（24）には２つのポンプ（37a,37b）が接続されている。
【０１０６】
即ち、本実施形態３では、再生モジュール（31）に対応してポンプ（37a）が設けられ、液式除湿モジュール（21）に対応してポンプ（37b）が設けられている。ポンプ（37a）の入力側は、接続配管（15f）を介して液槽（24）と接続され、ポンプ（37a）の出力側は、接続配管（15g）を介して液加熱熱交換器（44）の吸収剤通路の入口に接続されている。ポンプ（37b）の入力側は、接続配管（15h）を介して液槽（24）と接続され、ポンプ（37b）の出力側は、接続配管（15i）を介して液冷却熱交換器（46）の吸収剤通路の入口に接続されている。
【０１０７】
これにより、液槽（24）内の液体吸収剤は、ポンプ（37a）により液加熱熱交換器（44）を介して再生モジュール（31）に送られ、ポンプ（37b）により液冷却熱交換器（46）を介して液式除湿モジュール（21）に送られる。
【０１０８】
上述した構成を有する本実施形態３に係る調湿装置（10）は、ポンプ（37）が１台である際の効果を除き、上記実施形態１と同様の効果を奏する。
【０１０９】
≪実施形態４≫
＜構成＞
本実施形態４の調湿装置（10）の構成を図４に示す。本実施形態４に係る調湿装置（10）は、吸収剤回路（15）と冷媒回路（40）とを備える。本実施形態４の調湿装置（10）は、上記実施形態１〜３とは構成が大幅に異なっているため、以下では、構成と動作について説明する。
【０１１０】
液体吸収剤は、上記実施形態１と同様である。
【０１１１】
−吸収剤回路−
吸収剤回路（15）は、２つの液式除湿モジュール（21a,21b）、１つの再生モジュール（31）、１台のポンプ（37）、３つの流量調整弁（39a〜39c）、液加熱熱交換器（44）及び液冷却熱交換器（46）が、接続配管（15a〜15g）によって接続されることで構成されている。
【０１１２】
液式除湿モジュール（21a,21b）は、それぞれ、除湿側液体供給部（22a,22b）と、除湿側気液接触部（23a,23b）と、除湿側液受部（25a,25b）とを有する。
【０１１３】
除湿側液体供給部（22a,22b）は、接続配管（15a,15f）及び流量調整弁（39b,39c）を介して液冷却熱交換器（46）と接続されている。除湿側液体供給部（22a,22b）は、対応する除湿側気液接触部（23a,23b）に、液冷却熱交換器（46）にて冷却された液体吸収剤を供給する。
【０１１４】
各除湿側気液接触部（23a,23b）は、液体吸収剤に被処理空気としての外気（OA）を接触させて該空気を除湿する。除湿された空気は、供給空気（SA）として室内に供給される。
【０１１５】
各除湿側液受部（25a,25b）は、各除湿側気液接触部（23a,23b）の下方に位置する。各除湿側液受部（25a,25b）は、各除湿側気液接触部（23a,23b）において被処理空気（外気（OA））と接触し除湿に使用された液体吸収剤を受ける。各除湿側液受部（25a,25b）と液槽（35）とは、接続配管（15c,15g）によって接続されており、各除湿側液受部（25a,25b）が受けた液体吸収剤（即ち、除湿に使用された液体吸収剤）は、接続配管（15c,15g）それぞれを介して１つの液槽（35）に送られる。
【０１１６】
再生モジュール（31）は、再生側液体供給部（32）と、再生側気液接触部（33）と、液槽（35）とを有する。即ち、本実施形態４では、液槽（35）は、再生モジュール（31）側に設置されている。
【０１１７】
再生側液体供給部（32）は、接続配管（15b）を介して液加熱熱交換器（44）と接続されており、液加熱熱交換器（44）で加熱された液体吸収剤を再生側気液接触部（33）に供給する。
【０１１８】
再生側気液接触部（33）は、液体吸収剤に再生用空気としての室内外気（RA）を接触させて液体吸収剤を再生する。なお、再生された空気は、排気空気（EA）として屋外に排出される。
【０１１９】
液槽（35）は、再生側気液接触部（33）の下方に位置している。液槽（35）は、再生側気液接触部（33）において再生された液体吸収剤を受けるための再生側液受部としての機能を兼ねていると共に、当該液体吸収剤を貯留する。このように、本実施形態４では、再生側液受部と液槽とは併設されていない。
【０１２０】
液槽（35）には、再生され濃度が高まった液体吸収剤のみならず、各液式除湿モジュール（21a,21b）にて除湿に使用され濃度が薄まった液体吸収剤が、混合して貯留される。
【０１２１】
ポンプ（37）は、入力が接続配管（15d）を介して液槽（35）に接続され、出力が接続配管（15e）を介して液加熱熱交換器（44）及び液冷却熱交換器（46）に接続されている。このポンプ（37）により、液槽（35）に貯留された液体吸収剤は、液加熱熱交換器（44）を介して再生モジュール（31）に送られると共に、液冷却熱交換器（46）を介して各液式除湿モジュール（21a,21b）に送られる。
【０１２２】
なお、接続配管（15e）は、一端がポンプ（37）の出力側に接続され、他端が２経路に分岐している。２つの経路とは、流量調整弁（39a）を介して液加熱熱交換器（44）に接続される経路と、液冷却熱交換器（46）に接続された経路である。
【０１２３】
流量調整弁（39a）は、接続配管（15e）上のうち、２経路への分岐点から液加熱熱交換器（44）までの間に位置している。流量調整弁（39a）は、再生モジュール（31）への液体吸収剤の供給量を調整する。流量調整弁（39b）は、接続配管（15a）のうち、液式除湿モジュール（21a）と接続配管（15a,15f）の合流点との間に位置している。流量調整弁（39b）は、液式除湿モジュール（21a）への液体吸収剤の供給量を調整する。流量調整弁（39c）は、接続配管（15f）のうち、液式除湿モジュール（21b）と接続配管（15a,15f）の合流点との間に位置している。流量調整弁（39c）は、液式除湿モジュール（21b）への液体吸収剤の供給量を調整する。
【０１２４】
液加熱熱交換器（44）及び液冷却熱交換器（46）は、上記実施形態１に係る液加熱熱交換器（44）及び液冷却熱交換器（46）と同様である。つまり、液加熱熱交換器（44）は、冷媒回路（40）を流れる冷媒を用いて、再生モジュール（31）に供給される前の液体吸収剤を加熱する。液冷却熱交換器（46）は、冷媒回路（40）を流れる冷媒を用いて、各液式除湿モジュール（21a,21b）に供給される前の液体吸収剤を冷却する。
【０１２５】
−冷媒回路−
冷媒回路（40）は、上記実施形態１において、放熱用凝縮器（43）及び冷媒冷却式除湿モジュール（48）を有さない構成となっている。また、本実施形態４では、ファン（43a）も設けられていない。即ち、本実施形態４では、冷媒冷却式除湿モジュール（48）が設けられないため、該モジュール（48）の発熱（凝縮熱）量をバランスさせるための放熱手段（具体的には、放熱用凝縮器（43）及びファン（43a））が不要となっている。
【０１２６】
具体的に、冷媒回路（40）は、圧縮機（42）、液加熱熱交換器（44）、膨張弁（45）及び液冷却熱交換器（46）が、接続配管（40a〜40d）によってこの順で直列に接続されている。液加熱熱交換器（44）は、冷媒と液体吸収剤とを熱交換して液体吸収剤を加熱するものであって、冷媒の凝縮器として機能する。液冷却熱交換器（46）は、冷媒と液体吸収剤とを熱交換して液体吸収剤を冷却するものであって、冷媒の蒸発器として機能する。
【０１２７】
なお、本実施形態４では、ファン（43a）が設けられていないため、コントローラ（50）によるファン（43a）の運転動作は行われない。コントローラ（50）は、圧縮機（42）の運転動作の制御、流量調整弁（39a）の開度制御を行う。また、コントローラ（50）は、流量調整弁（39b,39c）の開度制御を行うことにより、液式除湿モジュール（21a,21b）への液体吸収剤の供給量を調整する。
【０１２８】
＜調湿装置の動作＞
圧縮機（42）で圧縮された冷媒は、液加熱熱交換器（44）にて液体吸収剤に放熱して凝縮する。液加熱熱交換器（44）を流出した冷媒は、膨張弁（45）で減圧され、液冷却熱交換器（46）に流入する。液冷却熱交換器（46）において、冷媒は、液体吸収剤を冷却して蒸発する。その後、冷媒は、圧縮機（42）に吸入される。
【０１２９】
吸収剤回路（15）では、ポンプ（37）は作動し、流量調整弁（39a〜39c）は所定の開度に調節される。
【０１３０】
各液式除湿モジュール（21a,21b）では、液体吸収剤は、各除湿側液体供給部（22a,22b）から対応する除湿側気液接触部（23a,23b）へと滴下される。滴下された液体吸収剤は、被処理空気（外気（OA））から水分を吸収して該空気を除湿する。各液式除湿モジュール（21a,21b）にて除湿された空気は、供給空気（SA）として室内に供給される。
【０１３１】
被処理空気（外気（OA））から水分を吸収した液体吸収剤は、濃度が薄まったものとなっており、各除湿側液受部（25a,25b）にて一旦受け止められた後、接続配管（15c,15g）を介して液槽（35）に送られて貯留される。液槽（35）に貯留された液体吸収剤は、接続配管（15d）を通過後、接続配管（15e）において液加熱熱交換器（44）側及び液冷却熱交換器（46）側それぞれに分岐して流れる。
【０１３２】
液加熱熱交換器（44）側に流れた液体吸収剤は、当該熱交換器（44）にて冷媒によって加熱され、その後再生モジュール（31）に流入する。再生モジュール（31）に流入した液体吸収剤は、再生側液体供給部（32）から再生側気液接触部（33）へと滴下される。再生側気液接触部（33）には、再生用空気（室内空気（RA））が供給され、滴下された液体吸収剤は、当該空気に水分を放出する。これにより、液体吸収剤は、濃度が高い状態となり、再生される。当該液体吸収剤は、再生側気液接触部（33）の下部にある液槽（35）に貯留される。
【０１３３】
即ち、液槽（35）には、再生モジュール（31）で濃度が濃くなった液体吸収剤と、各液式除湿モジュール（21a,21b）で濃度が薄くなった液体吸収剤とが入れられて混合される。
【０１３４】
なお、再生用空気は、液体吸収体の再生に利用された後、排気空気（EA）として屋外に排出される。
【０１３５】
液冷却熱交換器（46）側に流れた液体吸収剤は、当該熱交換器（46）にて冷媒によって冷却され、その後液式除湿モジュール（21a,21b）それぞれに供給される。各液式除湿モジュール（21a,21b）に流入した液体吸収剤は、再び各除湿側液体供給部（22a,22b）から各除湿側気液接触部（23a,23b）へと滴下される。
【０１３６】
＜効果＞
本実施形態４では、除湿に利用された液体吸収剤と再生された液体吸収剤とが、１つの液槽（35）に混合されて貯留される。即ち、各液式除湿モジュール（21a,21b）及び再生モジュール（31）それぞれに液槽が設けられているのではなく、各液式除湿モジュール（21a,21b）及び再生モジュール（31）に共通した１つの液槽（35）が設けられている。これにより、各液式除湿モジュール（21a,21b）及び再生モジュール（31）それぞれに液槽が設けられる場合よりも、調湿装置（10）のサイズは小さくなる。従って、調湿装置（10）のコストは抑えられる。また、液槽（35）内の液体吸収剤は、ポンプ（37）によって、積極的に各液式除湿モジュール（21a,21b）及び再生モジュール（31）それぞれに滞りなく送られる。
【０１３７】
また、本実施形態４の調湿装置（10）は、複数の液式除湿モジュール（21a,21b）を有しているが、再生モジュール（31）は１つである。従って、少なくとも一方の液式除湿モジュール（21a,21b）が運転している場合は、再生モジュール（31）は、常時運転することとなる。本実施形態４では、このような再生モジュール（31）側にあえて液槽（35）を設けた構成とし、更に、液槽（35）が再生側液受部としての機能を兼ねるように構成している。これにより、液槽（35）が各モジュール（21a,21b,31）とは別に設けられる場合よりも、調湿装置（10）の構成は簡略化されている。また、液槽（35）は、常時運転する再生モジュール（31）に含まれているため、調湿装置（10）が運転するのに常時必要な部分は、常時動作している１つの再生モジュール（31）内に収まっていると言える。
【０１３８】
≪実施形態５≫
本実施形態５の調湿装置（10）の構成を図５に示す。図５では、冷媒回路（40）の構成は図４と同様であるが、吸収剤回路（15）の構成が若干異なる。なお、図５では、図４と対応する構成に、図４と同様の符合を付している。以下では、構成の異なる部分についてのみ説明する。
【０１３９】
液体吸収剤は、上記実施形態１と同様である。
【０１４０】
吸収剤回路（15）は、複数の液式除湿モジュール（21a,21b）、１つの再生モジュール（31）、１つの液槽（35）、１つのポンプ（37）、複数の流量調整弁（39a,39b,39c）、液加熱熱交換器（44）及び液冷却熱交換器（46）が、接続配管（15a〜15h）によって接続されることで構成されている。このうち、再生モジュール（31）及び液槽（35）以外は、上記実施形態４と同様である。
【０１４１】
再生モジュール（31）は、上記実施形態４と同様の再生側液体供給部（32）及び再生側気液接触部（33）に加え、再生側液受部（34）を有する。
【０１４２】
再生側液受部（34）は、再生側気液接触部（33）の下方に位置する。再生側液受部（34）は、再生側気液接触部（33）で再生された液体吸収剤を受ける。再生側液受部（34）と液槽（35）とは、接続配管（15h）によって接続されており、再生側液受部（34）が受けた液体吸収剤（即ち、再生された液体吸収剤）は、接続配管（15h）を介して１つの液槽（35）に送られる。
【０１４３】
液槽（35）は、液式除湿モジュール（21a,21b）及び再生モジュール（31）のいずれにも含まれておらず、これらのモジュール（21a,21b,31）とは別途、タンクユニット（36）内に配置されている。タンクユニット（36）には、液槽（35）の他、接続配管（15d）及びポンプ（37）が含まれている。液槽（35）には、各液式除湿モジュール（21a,21b）にて除湿に使用された後の液体吸収剤が接続配管（15c,15g）を介して流入するとともに、再生モジュール（31）にて再生された液体吸収剤が接続配管（15h）を介して流入する。これらの液体吸収剤は、液槽（35）内にて混合され、ポンプ（37）及び接続配管（15a）を介して各モジュール（21a,21b,31）に送られる。
【０１４４】
このように、本実施形態５では、各液式除湿モジュール（21a,21b）及び再生モジュール（31）にて共通した１つの液槽（35）が設けられている。これにより、各モジュール（21a,21b,31）それぞれに液槽が設けられる場合よりも、調湿装置（10）のサイズは小さくなる。従って、調湿装置（10）のコストを抑えることができる。また、液槽（35）内の液体吸収剤は、ポンプ（37）によって、積極的に各モジュール（21a,21b,31）に滞りなく送られる。
【０１４５】
また、本実施形態５では、液槽（35）を含むタンクユニット（36）が各モジュール（21a,21b,31）とは別に設置されている。これにより、タンクユニット（36）の設置場所の自由度が向上し、液槽（35）を最適な容量とすることができる。更に、液槽（35）に接続された接続配管（15c,15d,15g,15h）の経路が最小となるように、タンクユニット（36）の設置位置を調節することもできる。
【０１４６】
≪実施形態６≫
本実施形態６の調湿装置（10）の構成を図６に示す。図６では、冷媒回路（40）の構成は図１〜図３と同様であるが、吸収剤回路（15）の構成が若干異なる。なお、図６では、図１と対応する構成に、図１と同様の符合を付している。以下では、構成の異なる部分についてのみ説明する。
【０１４７】
液体吸収剤は、上記実施形態１と同様である。
【０１４８】
吸収剤回路（15）は、液式除湿モジュール（21）、再生モジュール（31）、ポンプ（37）、流量調整弁（39）、液加熱熱交換器（44）及び液冷却熱交換器（46）が接続配管（15a,15b,16,15d,15e）によって接続されることで構成されている。このうち、ポンプ（37）、流量調整弁（39）、液加熱熱交換器（44）及び液冷却熱交換器（46）は、上記実施形態１に係るポンプ（37）、流量調整弁（39）、液加熱熱交換器（44）及び液冷却熱交換器（46）と同様である。
【０１４９】
液式除湿モジュール（21）は、上記実施形態１と同様の除湿側液体供給部（22）、除湿側気液接触部（23）を有し、再生モジュール（31）は、上記実施形態１と同様の再生側液体供給部（32）及び再生側気液接触部（33）を有する。
【０１５０】
更に、本実施形態６では、液式除湿モジュール（21）は、除湿側液受部（26）及び液槽（24）を有する。再生モジュール（31）は、再生側液受部（34）を有する。即ち、液式除湿モジュール（21）及び再生モジュール（31）は、各モジュール（21,31）専用の液受部（26,34）を有する。
【０１５１】
除湿側液受部（26）は、除湿側気液接触部（23）の下方に位置する。除湿側液受部（26）は、除湿側気液接触部（23）において被処理空気（外気（OA））と接触し除湿に使用された液体吸収剤を受ける。
【０１５２】
再生側液受部（34）は、再生側気液接触部（33）の下方に位置する。再生側液受部（34）は、再生側気液接触部（33）において室内空気（RA）と接触し再生された液体吸収剤を受ける。
【０１５３】
液槽（24）は、再生モジュール（31）よりも液式除湿モジュール（21）寄り、即ち、除湿側液受部（26）の下方に位置する。液槽（24）は、除湿側液受部（26）及び再生側液受部（34）と、接続配管（16）（第１接続配管に相当）によって繋がれている。液槽（24）には、各液受部（26,34）が受けた液体吸収剤が、接続配管（16）を介して流入され貯留される。
【０１５４】
具体的に、接続配管（16）は、一端が再生側液受部（34）に接続された配管（16a）、一端が除湿側液受部（26）に接続された配管（16b）、及び、一端が液槽（24）に接続された配管（16c）とで構成される。これらの配管（16a,16b,16c）の他端同士は繋がっており、これによって接続配管（16）は形作られている。
【０１５５】
このような接続配管（16）には、液式除湿モジュール（21）にて被処理空気（外気（OA））の除湿に利用された液体吸収剤と、再生モジュール（31）にて再生された液体吸収剤とが流入され、これらの液体吸収剤は当該接続配管（16）内にて混合される。接続配管（16）内にて混合された液体吸収剤は、当該接続配管（16）を介して液槽（24）に流入される。
【０１５６】
即ち、本実施形態６では、上記実施形態１〜実施形態５とは異なり、液体吸収剤の混合動作が液槽（24）内で行われるのではなく、接続配管（16）内にて行われる。
【０１５７】
＜効果＞
本実施形態６では、液式除湿モジュール（21）にて除湿に利用された液体吸収剤と再生モジュール（31）にて再生された液体吸収剤とは、１つの液槽（24）に貯留される。即ち、液式除湿モジュール（21）及び再生モジュール（31）それぞれに液槽が設けられているのではなく、液式除湿モジュール（21）及び再生モジュール（31）に共通した１つの液槽（24）が設けられている。これにより、液式除湿モジュール（21）及び再生モジュール（31）それぞれに液槽が設けられる場合よりも、調湿装置（10）のサイズは小さくなる。従って、調湿装置（10）のコストを抑えられる。そして、液槽（24）内の液体吸収剤は、ポンプ（37）によって、積極的に液式除湿モジュール（21）及び再生モジュール（31）それぞれに滞りなく送られる。
【０１５８】
また、本実施形態６では、液式除湿モジュール（21）にて被処理空気（外気（OA））の除湿に利用された液体吸収剤と再生モジュール（31）にて再生された液体吸収剤とが、接続配管（16）内にて混合された後に液槽（24）に流入される。これにより、上記実施形態１のように液槽（24）にて液体吸収剤の混合を行う場合よりも、液槽（24）には十分に混合され温度が均一となった液体吸収剤が貯留される。従って、液槽（24）内の温度ムラは生じにくくなる。
【０１５９】
液体吸収剤の循環量を、再生モジュール（31）よりも液式除湿モジュール（21）の方を多くすることで、除湿効率を向上することが考えられる。本実施形態６では、液槽（24）が、液式除湿モジュール（21）寄りに位置しているため、液槽（24）内の液体吸収剤を液式除湿モジュール（21）に送るための接続配管（15d,15e,15a）の長さを、液体吸収剤を再生モジュール（31）に送るための接続配管（15d,15e,15b）よりも短くすることができる。従って、ポンプ（37）の動力を小さくすることができる。
【０１６０】
また、本実施形態６では、上記実施形態１と同様、被処理空気（外気（OA））は、冷媒冷却式除湿モジュール（48）で冷却除湿された後に、液体吸収剤を用いて液式除湿モジュール（21）で更に除湿される。そのため、被処理空気（外気（OA））を液式除湿モジュール（21）のみで除湿する場合に比して、液式除湿モジュール（21）での除湿量は少ない。従って、液式除湿モジュール（21）で除湿に必要とする液体吸収剤の量も、液式除湿モジュール（21）のみで除湿する場合よりも少なくて済む。また、液式除湿モジュール（21）における液体吸収剤の濃度変化は、液式除湿モジュール（21）のみで除湿する場合に比して小さくなるため、濃度の異なる液体吸収剤を１つの液槽（24）にて貯留しても、濃度の異なる液体吸収剤の混合による除湿性能への影響は小さい。即ち、１つの液槽（24）にて、液式除湿モジュール（21）と再生モジュール（31）それぞれからの液体吸収剤を混合したものを貯留しても、調湿装置（10）の性能面にて問題となることはない。
【０１６１】
また、本実施形態６では、上記実施形態１と同様、液槽（24）には１台のポンプ（37）が接続され、そのポンプ（37）から接続配管（15e）を介して液式除湿モジュール（21）及び再生モジュール（31）それぞれに液体吸収剤を分岐して流す構成となっている。このように複数台のポンプを使用せずとも、液式除湿モジュール（21）及び再生モジュール（31）に液体吸収剤を送ることができ、ポンプ（37）の数が少ない分調湿装置（10）の製造コストや消費電力量を削減することができる。また、ポンプ（37）の数が少ないため、その分調湿装置（10）のメンテナンスに要する時間も短縮できる。
【０１６２】
≪実施形態７≫
本実施形態７の調湿装置（10）の構成を図７に示す。図７では、冷媒回路（40）の構成は図１〜図３，図６と同様であるが、吸収剤回路（15）の構成が若干異なる。なお、図７では、図１と対応する構成に、図１と同様の符合を付している。以下では、構成の異なる部分についてのみ説明する。
【０１６３】
液体吸収剤は、上記実施形態１と同様である。
【０１６４】
吸収剤回路（15）は、液式除湿モジュール（21）、再生モジュール（31）、ポンプ（37）、流量調整弁（39）、液加熱熱交換器（44）及び液冷却熱交換器（46）が接続配管（15a,15b,17,18,15d,15e）によって接続されることで構成されている。このうち、ポンプ（37）、流量調整弁（39）、液加熱熱交換器（44）及び液冷却熱交換器（46）は、上記実施形態１に係るポンプ（37）、流量調整弁（39）、液加熱熱交換器（44）及び液冷却熱交換器（46）と同様である。
【０１６５】
液式除湿モジュール（21）は、上記実施形態１と同様の除湿側液体供給部（22）、除湿側気液接触部（23）を有し、再生モジュール（31）は、上記実施形態１と同様の再生側液体供給部（32）及び再生側気液接触部（33）を有する。
【０１６６】
更に、本実施形態７では、液式除湿モジュール（21）は、除湿側液受部（26）及び液槽（24）を有する。再生モジュール（31）は、再生側液受部（34）を有する。即ち、液式除湿モジュール（21）及び再生モジュール（31）は、各モジュール（21,31）専用の液受部（26,34）を有する。
【０１６７】
除湿側液受部（26）は、除湿側気液接触部（23）の下方に位置する。除湿側液受部（26）は、除湿側気液接触部（23）において被処理空気（外気（OA））と接触し除湿に使用された液体吸収剤を受ける。
【０１６８】
再生側液受部（34）は、再生側気液接触部（33）の下方に位置する。再生側液受部（34）は、再生側気液接触部（33）において室内空気（RA）と接触し再生された液体吸収剤を受ける。
【０１６９】
これらの液受部（26,34）は、接続配管（17）（第２接続配管に相当）によって繋がれている。具体的に、接続配管（17）の一端は再生側液受部（34）に接続され、接続配管（17）の他端は除湿側液受部（26）に接続されている。
【０１７０】
液槽（24）は、再生モジュール（31）よりも液式除湿モジュール（21）寄り、即ち、除湿側液受部（26）の下方に位置する。液槽（24）は、接続配管（17）とは別の接続配管（18）（液送部に相当）によって、除湿側液受部（26）と繋がれている。液槽（24）には、各液受部（26,34）が受けた液体吸収剤が、接続配管（17,18）を介して流入され貯留される。
【０１７１】
具体的に、再生モジュール（31）にて再生された液体吸収剤は、再生側液受部（34）から接続配管（17）を介して除湿側液受部（26）に流入する。除湿側液受部（26）では、当該液体吸収剤と、除湿側気液接触部（23）から滴下されてきた液体吸収剤（即ち被処理空気（外気（OA）の除湿に利用された液体吸収剤）とが混合される。除湿側液受部（26）にて混合された液体吸収剤は、接続配管（18）を介して液槽（24）に流入される。
【０１７２】
即ち、本実施形態７では、上記実施形態１〜実施形態５とは異なり、液体吸収剤の混合動作が液槽（24）内で行われるのではなく、除湿側液受部（26）にて行われる。
【０１７３】
＜効果＞
本実施形態７では、液式除湿モジュール（21）にて除湿に利用された液体吸収剤と再生モジュール（31）にて再生された液体吸収剤とは、１つの液槽（24）に貯留される。即ち、液式除湿モジュール（21）及び再生モジュール（31）それぞれに液槽が設けられているのではなく、液式除湿モジュール（21）及び再生モジュール（31）に共通した１つの液槽（24）が設けられている。これにより、液式除湿モジュール（21）及び再生モジュール（31）それぞれに液槽が設けられる場合よりも、調湿装置（10）のサイズは小さくなる。従って、調湿装置（10）のコストを抑えられる。そして、液槽（24）内の液体吸収剤は、ポンプ（37）によって、積極的に液式除湿モジュール（21）及び再生モジュール（31）それぞれに滞りなく送られる。
【０１７４】
また、本実施形態７では、再生モジュール（31）にて再生された液体吸収剤は、再生側液受部（34）から接続配管（17）を介して除湿側液受部（26）に流入した後、被処理空気の除湿に利用された液体吸収剤と除湿側液受部（26）にて混合される。混合された後の液体吸収剤は、接続配管（18）を介して液槽（24）に流入される。これにより、上記実施形態１のように液槽（24）にて液体吸収剤の混合を行う場合よりも、液槽（24）には十分に混合され温度が均一となった液体吸収剤が貯留される。従って、液槽（24）内の温度ムラは生じにくくなる。
【０１７５】
液体吸収剤の循環量を、再生モジュール（31）よりも液式除湿モジュール（21）の方を多くすることで、除湿効率を向上することが考えられる。本実施形態７では、上記実施形態６と同様、液槽（24）が、液式除湿モジュール（21）寄りに位置しているため、液槽（24）内の液体吸収剤を液式除湿モジュール（21）に送るための接続配管（15d,15e,15a）の長さを、液体吸収剤を再生モジュール（31）に送るための接続配管（15d,15e,15b）よりも短くすることができる。従って、ポンプ（37）の動力を小さくすることができる。
【０１７６】
また、本実施形態７では、上記実施形態１と同様、被処理空気（外気（OA））は、冷媒冷却式除湿モジュール（48）で冷却除湿された後に、液体吸収剤を用いて液式除湿モジュール（21）で更に除湿される。そのため、被処理空気（外気（OA））を液式除湿モジュール（21）のみで除湿する場合に比して、液式除湿モジュール（21）での除湿量は少ない。従って、液式除湿モジュール（21）で除湿に必要とする液体吸収剤の量も、液式除湿モジュール（21）のみで除湿する場合よりも少なくて済む。また、液式除湿モジュール（21）における液体吸収剤の濃度変化は、液式除湿モジュール（21）のみで除湿する場合に比して小さくなるため、濃度の異なる液体吸収剤を１つの液槽（24）に貯留しても、濃度の異なる液体吸収剤の混合による除湿性能への影響は小さい。即ち、１つの液槽（24）にて、液式除湿モジュール（21）と再生モジュール（31）それぞれからの液体吸収剤を混合したものを貯留しても、調湿装置（10）の性能面にて問題となることはない。
【０１７７】
また、本実施形態７では、上記実施形態１と同様、液槽（24）には１台のポンプ（37）が接続され、そのポンプ（37）から接続配管（15e）を介して液式除湿モジュール（21）及び再生モジュール（31）それぞれに液体吸収剤を分岐して流す構成となっている。このように複数台のポンプを使用せずとも、液式除湿モジュール（21）及び再生モジュール（31）に液体吸収剤を送ることができ、ポンプ（37）の数が少ない分調湿装置（10）の製造コストや消費電力量を削減することができる。また、ポンプ（37）の数が少ないため、その分調湿装置（10）のメンテナンスに要する時間も短縮できる。
【０１７８】
≪その他の実施形態≫
冷媒冷却式除湿モジュール（48）は、被処理空気を冷却除湿できれば良い。そのため、被処理空気を冷却除湿する際に使用する媒体は、冷媒に代えて水等であってもよい。
【０１７９】
再生モジュール（31）は、複数設けられていても良い。
【０１８０】
例えば実施形態１〜３において、冷媒冷却式除湿モジュール（48）の上流側に、別途顕熱処理用の熱交換器が設置されてもよい。顕熱処理用の熱交換器は、冷媒冷却式除湿モジュール（48）とは異なる熱源（例えば地中熱）を用いて、被処理空気である外気（OA）を顕熱処理してもよい。
【０１８１】
放熱用凝縮器（43）が放熱する放熱流体は、室内の空気（RA）以外であればよく、水であってもよい。この場合、放熱用凝縮器（43）は冷媒と水との熱交換器で構成され、ファン（43a）の代わりに水を放熱用凝縮器（43）に供給するためのポンプを有する水循環回路を別途設けてもよい。
【０１８２】
放熱用凝縮器（43）及びファン（43a）は必須ではなく、設けられていなくても良い。
【０１８３】
放熱用凝縮器（43）が設けられているとしても、放熱用凝縮器（43）への放熱流体の供給が停止される条件は、冷媒の凝縮温度が所定値以下の場合に限定されない。例えば、供給制御部（51）は、潜熱負荷が所定負荷以下である場合に、放熱用凝縮器（43）にて処理するべき冷媒冷却式除湿モジュール（48）での発熱（凝縮熱）量は存在しないと判断して、ファン（43a）の運転を停止してもよい。この場合、供給制御部（51）は、潜熱負荷が所定負荷を超える場合、放熱用凝縮器（43）にて処理するべき冷媒冷却式除湿モジュール（48）での発熱（凝縮熱）量が存在すると判断して、ファン（43a）を運転させる。潜熱負荷が所定負荷を超えるか否かは、外気（OA）の露点温度が冷媒の蒸発温度よりも高いか否かによって判断されてもよい。即ち、再生モジュール（31）の放熱分のみでは２つの除湿モジュール（21,48）の発熱量を処理することができない程に、冷媒冷却式除湿モジュール（48）での発熱（凝縮熱）量がある場合に、ファン（43a）が運転して放熱用凝縮器（43）での放熱が行われる。
【０１８４】
実施形態７では、再生された液体吸収剤と除湿に利用された液体吸収剤とが、除湿側液受部（26）にて混合される場合について説明したが、液体吸収剤の混合場所は、図８に示すように、再生側液受部（34）内であってもよい。具体的に、図８では、接続配管（18）（液送部に相当）は、除湿側液受部（26）と再生側液受部（34）とを繋ぐ接続配管（17）（第２接続配管に相当）とは別の配管であって、再生側液受部（34）と液槽（24）とを繋いでいる。除湿側液受部（26）にて被処理空気の除湿に利用された液体吸収剤は、除湿側液受部（26）から接続配管（17）を介して再生側液受部（34）に流入した後、再生された液体吸収剤と再生側液受部（34）にて混合される。液槽（24）には、混合された後の液体吸収剤が接続配管（18）を介して流入される。これによっても、上記実施形態７と同様、液槽（24）にて液体吸収剤の混合を行う場合よりも、液槽には十分に混合された液体吸収剤が貯留される。
【０１８５】
なお、図８では、液槽（24）は、再生モジュール（31）内に設置されているが、上記実施形態７と同様に液式除湿モジュール（21）内に設置されていてもよい。
【０１８６】
図７及び図８では、液送部（18）が配管で構成される場合を説明した。しかし、液送部は、液体吸収剤を液槽（24）に送るものであればどのような構成であってもよく、配管に限定されずともよい。例えば、液送部は、図７においては除湿側液受部（26）の底部に孔が形成され、その孔から液槽（24）へ液体吸収剤が滴下されるような構成であることができる。また、液送部は、図８においては再生側液受部（34）の底部に孔が形成され、その孔から液槽（24）へ液体吸収剤が滴下されるような構成であることができる。
【産業上の利用可能性】
【０１８７】
以上説明したように、本発明は、液式除湿部及び再生部それぞれに液槽が設けられる場合よりも、調湿装置のサイズは小さいものにできるといった効果を有する。従って、本発明は、サイズの大きい調湿装置が設置困難な場所にも設置することができる調湿装置として有用である。
【符号の説明】
【０１８８】
10  調湿装置
15c  接続配管（配管）
16  接続配管（第１接続配管）
17  接続配管（第２接続配管）
18  接続配管（液送部）
21  液式除湿モジュール（液式除湿部）
22  除湿側気液接触部
24,35  液槽
26  除湿側液受部
31  再生モジュール（再生部）
32  再生側気液接触部
34  再生側液受部
37,37a,37b  ポンプ
48  冷媒冷却式除湿モジュール（冷却除湿部）
【図１】
2018118245.tif 000003
【図２】
2018118245.tif 000004
【図３】
2018118245.tif 000005
【図４】
2018118245.tif 000006
【図５】
2018118245.tif 000007
【図６】
2018118245.tif 000008
【図７】
2018118245.tif 000009
【図８】
2018118245.tif 000010
【手続補正書】
【提出日】平成30年6月22日(2018.6.22)
【手続補正１】
【補正対象書類名】明細書
【補正対象項目名】全文
【補正方法】変更
【補正の内容】
【発明の詳細な説明】
【技術分野】
【０００１】
本発明は、液体吸収剤を用いて空気を調湿する調湿装置に関するものである。
【背景技術】
【０００２】
室内の湿度を調整する装置には、特許文献１に示すように、吸湿性を有する液体を液体吸収剤として用いたタイプがある。
【０００３】
特許文献１の調湿装置は、室内を除湿する除湿部（処理機）と、除湿に利用された液体吸収剤を再生する再生部（再生機）とを備える。除湿部（処理機）は、冷却された液体吸収剤に被処理空気を通すことにより該空気中の水分を吸収して該空気を除湿する。再生部は、除湿に用いられた後加熱された液体吸収剤に再生用空気を通すことにより、該液体吸収剤の水分を空気中に放出して液体吸収剤を再生する。
【０００４】
更に、特許文献１の除湿部は、気液接触部（コンタクタ）と液槽とを有する。冷却された液体吸収剤は、気液接触部において被処理空気と接触し、その後液槽に蓄えられる。
【先行技術文献】
【特許文献】
【０００５】
【特許文献１】特開２０１０−３６０９３号公報
【発明の概要】
【発明が解決しようとする課題】
【０００６】
上記特許文献１では、再生部も、気液接触部及び液槽を有する。加熱された液体吸収剤は、再生部の気液接触部において再生用空気と接触して再生され、その後再生部の液槽に蓄えられる。
【０００７】
このように、上記特許文献１では、除湿部及び再生部にて別々に液槽が設けられており、調湿装置は大型化してしまう。また、液槽が２つであるため、調湿装置が保有する液体吸収剤の総量は比較的多く、調湿装置のコストも高くなってしまう。
【０００８】
本発明は、かかる点に鑑みてなされたものであり、その目的は、調湿装置が保有する液体吸収剤の量の増加を抑え、且つ調湿装置の大型化を抑制することである。
【課題を解決するための手段】
【０００９】
第１の発明は、液体吸収剤に被処理空気中の水分を吸収させて該被処理空気を除湿する液式除湿部（21）と、上記液体吸収剤の水分を再生用空気に放出させて上記液体吸収剤を再生する再生部（31）と、上記液式除湿部（21）にて上記被処理空気の除湿に利用された上記液体吸収剤と上記再生部（31）にて再生された上記液体吸収剤とを貯留する１つの液槽（24）と、上記液槽（24）に貯留された上記液体吸収剤を上記液式除湿部（21）及び上記再生部（31）それぞれに送るポンプ（37）とを備え、上記液式除湿部（21）は、上記液体吸収剤と上記被処理空気とを接触させるための除湿側気液接触部（23）と、上記除湿側気液接触部（23）の下方において上記被処理空気と接触した上記液体吸収剤を受けるための除湿側液受部（26）とを有し、上記再生部（31）は、上記液体吸収剤と上記再生用空気とを接触させるための再生側気液接触部（33）と、上記再生側気液接触部（33）の下方において上記再生用空気と接触した上記液体吸収剤を受けるための再生側液受部（34）とを有し、上記再生側液受部（34）と上記除湿側液受部（26）とを繋ぐ第２接続配管（17）と、上記除湿側液受部（26）から上記液槽（24）に上記液体吸収剤を送る液送部（18）と、を更に備え、上記再生部（31）にて再生された上記液体吸収剤は、上記再生側液受部（34）から上記第２接続配管（17）を介して上記除湿側液受部（26）に流入した後、上記被処理空気の除湿に利用された上記液体吸収剤と上記除湿側液受部（26）にて混合され、上記液槽（24）には、混合された後の上記液体吸収剤が上記液送部（18）を介して流入され、上記液槽（24）は、上記除湿側液受部（26）の下方に位置することを特徴とする調湿装置である。
【００１０】
ここでは、液式除湿部（21）及び再生部（31）それぞれに液槽が設けられているのではなく、液式除湿部（21）及び再生部（31）に共通した１つの液槽（24）が設けられている。これにより、液式除湿部（21）及び再生部（31）それぞれに液槽が設けられる場合よりも、調湿装置（10）のサイズは小さくなる。従って、調湿装置（10）のコストを抑えられる。そして、液槽（24）内の液体吸収剤は、ポンプ（37）によって、積極的に液式除湿部（21）及び再生部（31）それぞれに滞りなく送られる。
【００１１】
また、ここでは、液槽（24）にて液体吸収剤の混合を行う場合よりも、液槽（24）には十分に混合され温度が均一となった液体吸収剤が貯留される。従って、液槽（24）内の温度ムラは生じにくくなる。
【００１２】
第２の発明は、液体吸収剤に被処理空気中の水分を吸収させて該被処理空気を除湿する液式除湿部（21）と、上記液体吸収剤の水分を再生用空気に放出させて上記液体吸収剤を再生する再生部（31）と、上記液式除湿部（21）にて上記被処理空気の除湿に利用された上記液体吸収剤と上記再生部（31）にて再生された上記液体吸収剤とを貯留する１つの液槽（24）と、上記液槽（24）に貯留された上記液体吸収剤を上記液式除湿部（21）及び上記再生部（31）それぞれに送るポンプ（37）とを備え、上記液式除湿部（21）は、上記液体吸収剤と上記被処理空気とを接触させるための除湿側気液接触部（23）と、上記除湿側気液接触部（23）の下方において上記被処理空気と接触した上記液体吸収剤を受けるための除湿側液受部（26）とを有し、上記再生部（31）は、上記液体吸収剤と上記再生用空気とを接触させるための再生側気液接触部（33）と、上記再生側気液接触部（33）の下方において上記再生用空気と接触した上記液体吸収剤を受けるための再生側液受部（34）とを有し、上記再生側液受部（34）と上記除湿側液受部（26）とを繋ぐ第２接続配管（17）と、上記再生側液受部（34）から上記液槽（24）に上記液体吸収剤を送る液送部（18）と、を更に備え、上記液式除湿部（21）にて上記被処理空気の除湿に利用された上記液体吸収剤は、上記除湿側液受部（26）から上記第２接続配管（17）を介して上記再生側液受部（34）に流入した後、再生された上記液体吸収剤と上記再生側液受部（34）にて混合され、上記液槽（24）には、混合された後の上記液体吸収剤が上記液送部（18）を介して流入され、上記液槽（24）は、上記再生側液受部（34）の下方に位置することを特徴とする調湿装置である。
【００１３】
ここでは、液式除湿部（21）及び再生部（31）それぞれに液槽が設けられているのではなく、液式除湿部（21）及び再生部（31）に共通した１つの液槽（24）が設けられている。これにより、液式除湿部（21）及び再生部（31）それぞれに液槽が設けられる場合よりも、調湿装置（10）のサイズは小さくなる。従って、調湿装置（10）のコストを抑えられる。そして、液槽（24）内の液体吸収剤は、ポンプ（37）によって、積極的に液式除湿部（21）及び再生部（31）それぞれに滞りなく送られる。
【００１４】
また、ここでは、液槽（24）にて液体吸収剤の混合を行う場合よりも、液槽（24）には十分に混合され温度が均一となった液体吸収剤が貯留される。従って、液槽（24）内の温度ムラは生じにくくなる。
【００１５】
第３の発明は、第１の発明または第２の発明において、上記液槽（24）は、上記再生部（31）よりも上記液式除湿部（21）寄りに位置することを特徴とする調湿装置である。
【００１６】
液体吸収剤の循環量は、再生部（31）よりも液式除湿部（21）の方が多い。ここでは、液槽（24）が、液式除湿部（21）寄りに位置しているため、液槽（24）内の液体吸収剤を液式除湿部（21）に送るための配管の長さを、再生部（31）に送るための配管よりも短くすることができる。従って、ポンプ（37）の動力を小さくすることができる。
【００１７】
第４の発明は、第１の発明から第３の発明のいずれか１つにおいて、上記液式除湿部（21）よりも上記被処理空気の流れ方向上流側に位置し、上記液式除湿部（21）にて除湿される前の上記被処理空気を冷却して除湿する冷却除湿部（48）、を更に備えることを特徴とする調湿装置である。
【００１８】
ここでは、被処理空気は、冷却除湿部（48）で冷却除湿された後に、液体吸収剤を用いて液式除湿部（21）で更に除湿される。そのため、被処理空気を液式除湿部（21）のみで除湿する場合に比して、液式除湿部（21）での除湿量は少ない。従って、液式除湿部（21）で除湿に必要とする液体吸収剤の量も、液式除湿部（21）のみで除湿する場合よりも少なくて済む。また、液式除湿部（21）における液体吸収剤の濃度変化は、液式除湿部（21）のみで除湿する場合に比して小さくなるため、濃度の異なる液体吸収剤を１つの液槽（24）にて貯留しても、濃度の異なる液体吸収剤の混合による除湿性能への影響は小さい。即ち、１つの液槽（24）にて液式除湿部（21）と再生部（31）それぞれからの液体吸収剤を貯留しても、調湿装置（10）の性能面にて問題となることはない。
【発明の効果】
【００１９】
本発明によれば、液式除湿部（21）及び再生部（31）それぞれに液槽が設けられる場合よりも、調湿装置（10）のサイズは小さくなる。従って、調湿装置（10）のコストを抑えられる。
【図面の簡単な説明】
【００２０】
【図１】図１は、実施形態１の調湿装置の構成を概略的に示す図である。
【図２】図２は、実施形態２の調湿装置の構成を概略的に示す図である。
【図３】図３は、実施形態３の調湿装置の構成を概略的に示す図である。
【図４】図４は、実施形態４の調湿装置の構成を概略的に示す図である。
【図５】図５は、実施形態５の調湿装置の構成を概略的に示す図である。
【図６】図６は、実施形態６の調湿装置の構成を概略的に示す図である。
【図７】図７は、実施形態７の調湿装置の構成を概略的に示す図である。
【図８】図８は、実施形態７の変形例に係る調湿装置の構成を概略的に示す図である。
【発明を実施するための形態】
【００２１】
以下、本発明の実施形態を図面に基づいて詳細に説明する。なお、以下の実施形態は、本質的に好ましい例示であって、本発明、その適用物、あるいはその用途の範囲を制限することを意図するものではない。
【００２２】
≪実施形態１≫
＜概要＞
本実施形態１に係る調湿装置（10）は、オフィスビルや住宅などの内部空間（以下、室内）を、主に液体吸収剤を用いて除湿する装置である。
【００２３】
図１に示すように、本実施形態１に係る調湿装置（10）は、空気を除湿する除湿モジュール（20）を備える。除湿モジュール（20）は、液体吸収剤を用いて除湿する液式除湿モジュール（21）（液式除湿部に相当）と、冷媒を用いて除湿する冷媒冷却式除湿モジュール（48）（冷却除湿部に相当）とを含む。
【００２４】
このような調湿装置（10）は、液体吸収剤が循環する吸収剤回路（15）と、冷媒が循環する冷媒回路（40）とを備える。上記液式除湿モジュール（21）は、吸収剤回路（15）を構成する機器に含まれる。吸収剤回路（15）を構成する機器全ては、室内とは別の空間（例えば機械室）に設置される。冷媒回路（40）を構成する機器には、上記冷媒冷却式除湿モジュール（48）の他、圧縮機（42）及び放熱用凝縮器（43）（放熱用熱交換器に相当）が含まれる。圧縮機（42）及び放熱用凝縮器（43）は、室外機（41）に含まれ、屋外に設置される。冷媒回路（40）を構成する機器のうち、圧縮機（42）及び放熱用凝縮器（43）以外の機器は、上記吸収剤回路（15）を構成する機器と同様、室内とは別の空間（例えば機械室）に設置される。
【００２５】
−液体吸収剤−
上記液体吸収剤とは、空気中の水分（水蒸気）を吸収できる液体である。一般的に、調湿装置（10）にて用いられる液体吸収剤としては、塩化リチウム水溶液及び臭化リチウム水溶液が挙げられる。これらは、吸湿性能が優れているが、比較的高い腐食性を有する水溶液である。これらの水溶液を用いる場合、腐食防止のための対策を調湿装置（10）に別途講じる必要が生じるため、これらの水溶液を安全に使用することは困難である。
【００２６】
これに対し、本実施形態１では、上記水溶液よりも吸湿性能は劣るものの腐食性が低い性質の液体を液体吸収剤として用いることができる。当該液体は、腐食性が低いため安全に使用することができる。このような液体としては、イオン液体が挙げられる。イオン液体とは、イオンで構成される塩であって、摂氏１００度以下にて液体の状態である性質を有する。
【００２７】
＜調湿装置の構成＞
調湿装置（10）は、上記吸収剤回路（15）と、上記冷媒回路（40）と、各回路（15,40）における各種制御を行うためのコントローラ（50）とを備える。
【００２８】
−吸収剤回路−
吸収剤回路（15）は、液体吸収剤と空気との間における水分の授受を行うためのモジュールとして、上記液式除湿モジュール（21）、再生モジュール（31）（再生部に相当）を有する。更に、吸収剤回路（15）は、ポンプ（37）、流量調整弁（39）、液加熱熱交換器（44）及び液冷却熱交換器（46）を有する。吸収剤回路（15）は、各モジュール（21,31）及びポンプ（37）等が接続配管（15a〜15e）によって接続されることで構成されている。
【００２９】
−液式除湿モジュール−
液式除湿モジュール（21）は、液体吸収剤に被処理空気中の水分を吸収させて該被処理空気を除湿する。具体的に、液式除湿モジュール（21）は、除湿側液体供給部（22）と、除湿側気液接触部（23）と、液槽（24）とを有する。
【００３０】
除湿側液体供給部（22）は、例えば、接続配管（15a）の一端に接続された配管部分に、液体吸収剤を滴下するための滴下口が該配管部分の延設方向に並んで複数形成された構成を有する。
【００３１】
除湿側気液接触部（23）は、親水性の充填材で構成されており、除湿側液体供給部（22）の下方に位置する。除湿側気液接触部（23）は、被処理空気である外気（OA）が供給されると、この外気（OA）を、除湿側液体供給部（22）から滴下された液体吸収剤と接触させる。これにより、除湿側気液接触部（23）を通過した外気（OA）に含まれる水分量は、通過前よりも少なくなっており、除湿された状態となっている。つまり、除湿側気液接触部（23）に滴下され外気（OA）と接触した後の液体吸収剤の濃度は、除湿側気液接触部（23）に滴下される前よりも薄くなっている。
【００３２】
液槽（24）は、再生モジュール（31）よりも液式除湿モジュール（21）寄りであって、具体的には除湿側気液接触部（23）の下方に位置する。液槽（24）は、除湿側気液接触部（23）において外気（OA）と接触した後の液体吸収剤を受けるための除湿側液受部としての機能を兼ねており、除湿利用後の液体吸収剤を貯留する。即ち、本実施形態１に係る液式除湿モジュール（21）では、除湿側液受部と液槽とが併設されていない。これにより、除湿側液受部と液槽とを併設する場合に比して、調湿装置（10）のコスト上昇は抑えられる。
【００３３】
−再生モジュール−
再生モジュール（31）は、液体吸収剤の水分を再生用空気に放出させて液体吸収剤を再生する。具体的に、再生モジュール（31）は、再生側液体供給部（32）と、再生側気液接触部（33）と、再生側液受部（34）とを有する。
【００３４】
再生側液体供給部（32）は、例えば、接続配管（15b）の一端に接続された配管部分に、液体吸収剤を滴下するための滴下口が該配管部分の延設方向に並んで複数形成された構成を有する。
【００３５】
再生側気液接触部（33）は、親水性の充填材で構成されており、再生側液体供給部（32）の下方に位置する。再生側気液接触部（33）は、再生用空気である室内空気（RA）が供給されると、この室内空気（RA）を、再生側液体供給部（32）から滴下された液体吸収剤と接触させる。これにより、滴下された液体吸収剤に含まれる水分量は、再生用空気に放出され、再生側気液接触部（33）を通過した液体吸収剤の濃度は、再生側気液接触部（33）に滴下される前よりも濃くなっている。
【００３６】
再生側液受部（34）は、液式除湿モジュール（21）よりも再生モジュール（31）寄りであって、具体的には再生側気液接触部（33）の下方に位置する。再生側液受部（34）は、再生側気液接触部（33）において室内空気（RA）と接触し再生された液体吸収剤を受ける。再生側液受部（34）と液槽（24）とは、接続配管（15c）によって接続されており、再生側液受部（34）が受けた液体吸収剤（即ち、再生された液体吸収剤）は、接続配管（15c）を介して１つの液槽（24）に送られる。
【００３７】
即ち、本実施形態１に係る液槽（24）には、液式除湿モジュール（21）の除湿側気液接触部（23）にて被処理空気（外気（OA））の除湿に利用された液体吸収剤と、再生モジュール（31）の再生側気液接触部（33）にて再生された液体吸収剤とが、混合されて貯留される。除湿に利用された液体吸収剤の濃度は、再生された液体吸収剤の濃度よりも薄い。従って、除湿に利用された濃度の薄い液体吸収剤と、再生された濃度の薄い液体吸収剤とが、１つの液槽（24）を共通のタンクとして貯留される。
【００３８】
特に、接続配管（15c）は、再生側液受部（34）の底部を液入口とし、液槽（24）の側部を液出口として、再生側液受部（34）及び液槽（24）を繋いでいる。液出口は、液入口よりも下方にある。そのため、再生側液受部（34）から液槽（24）へは、重力（液体吸収剤の自重）を利用して流れ込むようになっている。従って、接続配管（15c）の間に、液体吸収剤を再生側液受部（34）から液槽（24）へと積極的に送るポンプ等の動力を設けずとも、再生された液体吸収剤と除湿に利用された液体吸収剤とを１つの液槽（24）に集めることができる。
【００３９】
なお、液槽（24）自体が再生側液受部（34）よりも低い位置に設置されていることがより好ましい。これにより、液体吸収剤は、再生側液受部（34）から液槽（24）へと、重力によってより移動し易くなるためである。
【００４０】
−ポンプ−
ポンプ（37）は、接続配管（15d）及び接続配管（15e）に接続されている。ポンプ（37）は、液槽（24）に貯留された液体吸収剤を、再び液式除湿モジュール（21）及び再生モジュール（31）それぞれに送る。即ち、ポンプ（37）は、液式除湿モジュール（21）及び再生モジュール（31）の間で液体吸収剤を循環させるためのものであると言える。
【００４１】
ここで、接続配管（15d）は、一端が液槽（24）に接続され、他端がポンプ（37）の入力側に接続されている。接続配管（15e）は、一端がポンプ（37）の出力側に接続されている。接続配管（15e）の他端は、２経路に分岐し、一方の経路は液冷却熱交換器（46）に接続され、他方の経路は流量調整弁（39）を介して液加熱熱交換器（44）に接続されている。
【００４２】
−流量調整弁−
流量調整弁（39）は、電磁比例弁で構成されており、開度を調節することで液体吸収剤の流量を調整する。液槽（24）に貯留された液体吸収剤は、ポンプ（37）から出た後、液冷却熱交換器（46）へのみならず、液加熱熱交換器（44）へと分岐して流れることができる。流量調整弁（39）の開度を調節することで、液冷却熱交換器（46）への液体吸収剤の供給量と液加熱熱交換器（44）への液体吸収剤の供給量とが所定の比率に調整される。
【００４３】
−液加熱熱交換器−
液加熱熱交換器（44）は、例えばプレート式であって、図示していないが、液体吸収剤が通過する吸収剤通路と、冷媒が通過する冷媒通路とを有する。吸収剤通路の入口側は接続配管（15e）に接続され、吸収剤通路の出口側は接続配管（15b）を介して再生モジュール（31）の再生側液体供給部（32）に接続される。冷媒通路の入口側は、接続配管（40c）を介して放熱用凝縮器（43）に接続され、冷媒通路の出口側は、接続配管（40d）を介して膨張弁（45）に接続される。液加熱熱交換器（44）は、冷媒の凝縮器として機能し、吸収剤通路を通過する液体吸収剤と冷媒通路を通過する冷媒とを熱交換することにより、再生モジュール（31）にて再生される前の液体吸収剤を冷媒によって加熱する。液加熱熱交換器（44）を通過した後の液体吸収剤は、再生モジュール（31）に送られ、再生される。
【００４４】
−液冷却熱交換器−
液冷却熱交換器（46）は、例えばプレート式であって、図示していないが、上記液加熱熱交換器（44）と同様、液体吸収剤が通過する吸収剤通路と、冷媒が通過する冷媒通路とを有する。吸収剤通路の入口側は接続配管（15e）に接続され、吸収剤通路の出口側は接続配管（15a）を介して液式除湿モジュール（21）の除湿側液体供給部（22）に接続される。冷媒通路の入口側は、接続配管（40e）を介して膨張弁（45）に接続され、冷媒通路の出口側は、接続配管（40f）を介して冷媒冷却式除湿モジュール（48）に接続される。液冷却熱交換器（46）は、冷媒の蒸発器として機能し、吸収剤通路を通過する液体吸収剤と冷媒通路を通過する冷媒とを熱交換する。具体的に、液冷却熱交換器（46）では、液式除湿モジュール（21）にて除湿に利用される前の液体吸収剤が、冷媒によって冷却される。液冷却熱交換器（46）を通過後の液体吸収剤は、液式除湿モジュール（21）に送られ、除湿に利用される。
【００４５】
−冷媒回路−
冷媒回路（40）は、圧縮機（42）、放熱用凝縮器（43）、液加熱熱交換器（44）、膨張弁（45）、液冷却熱交換器（46）及び冷媒冷却式除湿モジュール（48）が、接続配管（40a〜40f）によってこの順で直列に接続されることで構成されている。以下では、上述した液加熱熱交換器（44）及び液冷却熱交換器（46）以外の冷媒回路（40）の構成機器について説明する。
【００４６】
−圧縮機−
圧縮機（42）は、接続配管（40a）を介して冷媒冷却式除湿モジュール（48）の冷媒流れ方向下流側に位置し、冷媒を圧縮して吐出する。圧縮機（42）は、容量可変式であって、図示しないインバータ回路によって回転数（運転周波数）が変更される。
【００４７】
−放熱用凝縮器−
放熱用凝縮器（43）は、例えばフィンアンドチューブ式であって、冷媒の入口は接続配管（40b）を介して圧縮機（42）の吐出側に接続され、冷媒の出口は接続配管（40c）を介して液加熱熱交換器（44）における冷媒通路の入口と接続されている。即ち、放熱用凝縮器（43）は、冷媒冷却式除湿モジュール（48）の冷媒流れ方向下流側に位置する。放熱用凝縮器（43）は、冷媒冷却式除湿モジュール（48）を通過し圧縮機（42）から吐出された冷媒の熱を放熱流体に放出させて、該冷媒を凝縮する。放熱後の冷媒は、液加熱熱交換器（44）にて、更に液体吸収剤に放熱して凝縮する。
【００４８】
ここで、上記放熱流体とは、室内の空気（RA）以外であって、例えば外気（OA）、水などが挙げられる。本実施形態１では、放熱流体が外気（OA）であって、放熱用凝縮器（43）は、外気（OA）と冷媒とを熱交換する空気−冷媒熱交換器である場合を例に取る。
【００４９】
また、放熱用凝縮器（43）付近には、放熱用凝縮器（43）に放熱流体である外気（OA）を供給するためのファン（43a）が設置されている。ファン（43a）は、放熱用凝縮器（43）にて冷媒の放熱が必要な場合に運転するが、これについては、“−供給制御部−”にて説明する。
【００５０】
−膨張弁−
膨張弁（45）は、電子膨張弁で構成されている。膨張弁（45）は、接続配管（40d）を介して液加熱熱交換器（44）における冷媒通路の出口側と接続され、接続配管（40e）を介して液冷却熱交換器（46）における冷媒通路の入口側と接続されている。膨張弁（45）は、開度を変更することで、冷媒回路（40）内を循環する冷媒を減圧する。
【００５１】
−冷媒冷却式除湿モジュール−
冷媒冷却式除湿モジュール（48）は、例えばフィンアンドチューブ式であって、被処理空気（外気（OA））を冷媒により冷却して除湿する。特に、冷媒冷却式除湿モジュール（48）は、液式除湿モジュール（21）よりも外気（OA）の流れ方向上流側に位置する。冷媒冷却式除湿モジュール（48）は、液式除湿モジュール（21）にて除湿される前の被処理空気（外気（OA））を冷却除湿する。即ち、本実施形態１では、被処理空気（外気（OA））は、液式除湿モジュール（21）及び冷媒冷却式除湿モジュール（48）の双方にて除湿され、その後供給空気（SA）として室内に供給される。
【００５２】
冷媒冷却式除湿モジュール（48）の下方には、ドレンパン（48a）が設置されている。冷媒冷却式除湿モジュール（48）では、被処理空気（外気（OA））を冷却除湿した際に該空気から吸収した水分が冷媒冷却式除湿モジュール（48）の表面で結露して、下方に落下する。ドレンパン（48a）は、この結露水を回収するための受け皿である。ドレンパン（48a）は、ドレン排出配管（48b）と接続されており、当該ドレン排出配管（48b）を通じて結露水を調湿装置（10）の外部に排出する。
【００５３】
このように、ドレンパン（48a）は、液式除湿モジュール（21）における液槽（24）とは別途設けられている。仮に、液槽（24）に結露水が混入すると、液槽（24）における液体吸収剤の濃度が混入しない場合に比べて低下し、液体吸収剤を再生モジュール（31）にて再生するのに必要なエネルギーが増大してしまう。しかし、ここでは、ドレンパン（48a）と液槽（24）とが別途設けられているため、上述したような問題が発生する可能性は低くなる。
【００５４】
更に、冷媒冷却式除湿モジュール（48）及び液式除湿モジュール（21）の間には、フィルタ（49）が位置している。フィルタ（49）は、液体吸収剤が液式除湿モジュール（21）側から冷媒冷却式除湿モジュール（48）側に飛散することを防止するとともに、結露水が冷媒冷却式除湿モジュール（48）側から液式除湿モジュール（21）側に飛散することを防止する。このフィルタ（49）により、液体吸収剤と結露水とが混ざる可能性は、確実に低くなっている。
【００５５】
ところで、上記結露水は、ドレンパン（48a）及びドレン排出配管（48b）を介して屋外に排出される。そのため、冷媒冷却式除湿モジュール（48）が外気（OA）を冷却除湿した際の凝縮熱の放出手段が別途必要となる。本実施形態１では、当該凝縮熱の放出手段として、上述した放熱用凝縮器（43）が存在する。特に、放熱用凝縮器（43）は、屋外に排出された結露水に相当する気化熱分を回収するべく、上述のように、室内空気（RA）以外の放熱流体に放熱を行う。従って、冷媒の凝縮温度（凝縮圧力）の過度な上昇は抑えられ、凝縮温度（凝縮圧力）の過度な上昇を異常と判断して調湿装置（10）が運転を停止する事態を回避できる。
【００５６】
このように、液冷却熱交換器（46）及び冷媒冷却式除湿モジュール（48）は、液加熱熱交換器（44）と共に１の冷媒回路（40）に接続されている。本実施形態１では、ヒートポンプ熱源とも言える冷媒回路（40）を複数の回路の組合せで複雑に設けてはおらず、冷媒回路（40）の構成が簡略化されている。
【００５７】
そして、本実施形態１に係る調湿装置（10）の除湿モジュール（20）は、上述の通り、冷媒冷却式除湿モジュール（48）と液式除湿モジュール（21）とを有する。それ故、イオン液体のように吸湿性能が比較的低い液体を液体吸収剤として用いても、更に、空調負荷が比較的高いとしても、被処理空気は２つのモジュール（48,21）により十分に除湿された状態にて室内に供給される。また、被処理空気の除湿を行うモジュール（48,21）が２つあるため、冷媒冷却式除湿モジュール（48）における除湿量と液式除湿モジュール（21）における除湿量の比を、設計段階や制御段階にて調整することも可能であり、設計の自由度が大きいと言える。
【００５８】
一方で、調湿装置（10）の再生側は、液体吸収剤の再生モジュール（31）のみであり、冷媒冷却式除湿モジュールのような液体吸収剤以外を使用したモジュールは存在しない。つまり、再生側の構成は、除湿側に比べて簡略化されていると言える。
【００５９】
−コントローラ−
コントローラ（50）は、メモリ及びＣＰＵ等で構成されるマイクロコンピュータであって、調湿装置（10）を構成する各種機器（圧縮機（42）、ポンプ（37）、流量調整弁（39）、ファン（43a）、膨張弁（45））と電気的に接続されている。メモリ内に格納されているプログラムをＣＰＵが読み出して実行することで、コントローラ（50）は、接続された各種機器の動作を制御する。
【００６０】
具体的に、本実施形態１に係るコントローラ（50）は、冷媒の凝縮温度に基づくファン（43a）の運転制御、空調負荷に基づく各弁（39,45）の開度制御及びポンプ（37）の運転制御等を行う。以下では、コントローラ（50）が有する機能部のうち、ファン（43a）の運転制御を行う機能部である供給制御部（51）について説明する。
【００６１】
−供給制御部−
供給制御部（51）は、冷媒回路（40）における冷媒の凝縮温度が所定値を超える場合、ファン（43a）を運転させて放熱流体である外気（OA）を放熱用凝縮器（43）に供給させる。この場合、放熱用凝縮器（43）は、供給された外気（OA）に冷媒の熱を放出する。
【００６２】
一方、供給制御部（51）は、冷媒回路（40）における冷媒の凝縮温度が所定値以下の場合、ファン（43a）の運転を停止させて放熱用凝縮器（43）への外気（OA）の供給を停止させる。この場合、放熱用凝縮器（43）において、冷媒の熱は外気（OA）には放出されない。
【００６３】
冷媒の凝縮温度が所定値以下である場合にファン（43a）を運転させると、放熱用凝縮器（43）では、冷媒の凝縮温度が比較的低い状態であるにも拘わらず、冷媒は外気（OA）に放熱することとなる。すると、液加熱熱交換器（44）での液体吸収剤の加熱度合いは小さくなり、液体吸収剤は十分に再生できなくなってしまう。それ故、供給制御部（51）は、冷媒の凝縮温度が所定値以下の場合、放熱用凝縮器（43）に外気（OA）を供給させないように制御する。この制御により、液体吸収剤の再生不足を回避できるため、調湿装置（10）の除湿能力の低下を抑制することができる。
【００６４】
また、空調負荷が比較的小さく冷媒冷却式除湿モジュール（48）での発熱（凝縮熱）量がさほどない場合、除湿モジュール（20）側の発熱分を再生モジュール（31）での再生用空気への放熱分で十分に処理でき、冷媒の凝縮温度は比較的低くなる。そこで冷媒の凝縮温度が所定値以下である場合、調湿装置（10）では、ファン（43a）を停止し、ファン（43a）での消費電力分を削減する。
【００６５】
＜調湿装置の動作＞
ここでは、本実施形態１に係る調湿装置（10）の除湿動作について説明する。
【００６６】
冷媒回路（40）では、圧縮機（42）は運転し、放熱用凝縮器（43）及び液加熱熱交換器（44）は冷媒の凝縮器として機能し、液冷却熱交換器（46）及び冷媒冷却式除湿モジュール（48）は冷媒の蒸発器として機能する。
【００６７】
圧縮機（42）で圧縮された冷媒は、放熱用凝縮器（43）にて放熱流体（外気（OA））に放熱して凝縮された後、液加熱熱交換器（44）にて液体吸収剤に放熱して更に凝縮する。液加熱熱交換器（44）を流出した冷媒は、膨張弁（45）で減圧され、液冷却熱交換器（46）に流入する。
【００６８】
液冷却熱交換器（46）において、冷媒は、液体吸収剤から吸熱し、液体吸収剤を冷却する。その後、冷媒は、冷媒冷却式除湿モジュール（48）に流入し、該モジュール（48）を通過する被処理空気（外気（OA））から水分を吸収して蒸発し、当該空気を冷却除湿する。冷媒冷却式除湿モジュール（48）を通過後の冷媒は、圧縮機（42）に吸入される。
【００６９】
吸収剤回路（15）では、ポンプ（37）は作動し、流量調整弁（39）は所定の開度に調節される。液式除湿モジュール（21）では、液体吸収剤は、除湿側液体供給部（22）から除湿側気液接触部（23）へと滴下される。除湿側気液接触部（23）には、冷媒冷却式除湿モジュール（48）にて冷房除湿された被処理空気（外気（OA））が供給され、滴下された液体吸収剤は、当該空気から水分を吸収して当該空気を除湿する。冷媒冷却式除湿モジュール（48）及び液式除湿モジュール（21）の両方にて除湿された後の空気は、供給空気（SA）として室内に供給される。
【００７０】
被処理空気（外気（OA））から水分を吸収した液体吸収剤は、濃度が薄まったものとなっており、除湿側気液接触部（23）の下部にある液槽（24）に貯留される。液槽（24）内の液体吸収剤は、接続配管（15d）を通過後、接続配管（15e）において液加熱熱交換器（44）側及び液冷却熱交換器（46）側それぞれに分岐して流れる。
【００７１】
液加熱熱交換器（44）側に流れた液体吸収剤は、当該熱交換器（44）にて冷媒によって加熱され、その後再生モジュール（31）に流入する。再生モジュール（31）に流入した液体吸収剤は、再生側液体供給部（32）から再生側気液接触部（33）へと滴下される。再生側気液接触部（33）には、再生用空気（室内空気（RA））が供給され、滴下された液体吸収剤は、当該空気に水分を放出する。これにより、液体吸収剤は、濃度が高い状態となり、再生される。再生された液体吸収剤は、再生側気液接触部（33）の下部にある再生側液受部（34）にて一旦受け止められた後、接続配管（15c）を介して液槽（24）に貯留される。即ち、液槽（24）には、再生モジュール（31）で濃度が濃くなった液体吸収剤と、液式除湿モジュール（21）で濃度が薄くなった液体吸収剤とが入れられて混合される。
【００７２】
なお、液体吸収剤の再生に利用された空気は、排気空気（EA）として屋外に排出される。
【００７３】
液冷却熱交換器（46）側に流れた液体吸収剤は、当該熱交換器（46）にて冷媒によって冷却され、その後液式除湿モジュール（21）に流入する。液式除湿モジュール（21）に流入した液体吸収剤は、再び除湿側液体供給部（22）から除湿側気液接触部（23）へと滴下される。
【００７４】
＜液槽における液体吸収剤について＞
上述の通り、液槽（24）には、再生されて濃度が濃くなった液体吸収剤と、除湿に利用されて濃度が薄まった液体吸収剤とが入れられて、混合される。混合された液体吸収剤は上述の通り吸収剤回路（15）内を循環するが、本実施形態１では、この混合に伴って除湿能力の低下等が引き起こされるおそれは低い。これは、以下の理由による。
【００７５】
除湿モジュール（20）では、上述したように、液式除湿モジュール（21）及び冷媒冷却式除湿モジュール（48）の２つのモジュールにて２段階に亘って被処理空気（外気（OA））を除湿する構成となっている。特に、液式除湿モジュール（21）は、被処理空気の流れ方向下流側に位置するため、先に冷媒冷却式除湿モジュール（48）で冷却除湿された後の外気（OA）を、更に除湿する。それ故、液式除湿モジュール（21）の除湿量は、冷媒冷却式除湿モジュール（48）が設けられていない場合に比して低く、液式除湿モジュール（21）における液体吸収剤の濃度は、滴下前と滴下後とで約１％以下の程度しか変わらない。
【００７６】
また、２段階に亘って被処理空気（外気（OA））を除湿する構成であるため、液式除湿モジュール（21）が除湿動作で使用する液体吸収剤の量は、冷媒冷却式除湿モジュール（48）が設けられておらず液式除湿モジュールのみで除湿を行う場合に比して少ない。それ故、液式除湿モジュール（21）において上記の程度濃度が変化した液体吸収剤が液槽（24）に入る量も、当然少なくなる。
【００７７】
以上に鑑みると、液槽（24）において、再生されて濃度が濃くなった液体吸収剤と、除湿に利用されて濃度が薄まった液体吸収剤とが混合されても、当該混合による濃度変化の度合いは非常に小さいと言える。混合された液体吸収剤を液式除湿モジュール（21）の除湿に利用する本実施形態１での除湿能力は、仮に再生モジュール（31）で再生された直後の液体吸収剤を液式除湿モジュール（21）の除湿に直接使用したとした場合の除湿能力と比較しても、同程度である。
【００７８】
従って、液式除湿モジュール（21）側及び再生モジュール（31）側それぞれに専用の液槽を設けるのではなく、本実施形態１のように、液式除湿モジュール（21）及び再生モジュール（31）の共通となる液槽（24）を、サイズを大型化させることなく設けることができる。サイズが大型化していない液槽（24）を１つ設けることから、調湿装置（10）のサイズを小さくすることができ、調湿装置（10）の製造コストも液槽（24）が１つで済むため削減することができる。
【００７９】
＜効果＞
本実施形態１では、液式除湿モジュール（21）にて除湿に利用された液体吸収剤と再生モジュール（31）にて再生された液体吸収剤とは、１つの液槽（24）に混合されて貯留される。即ち、液式除湿モジュール（21）及び再生モジュール（31）それぞれに液槽が設けられているのではなく、液式除湿モジュール（21）及び再生モジュール（31）に共通した１つの液槽（24）が設けられている。これにより、液式除湿モジュール（21）及び再生モジュール（31）それぞれに液槽が設けられる場合よりも、調湿装置（10）のサイズは小さくなる。従って、調湿装置（10）のコストを抑えられる。そして、液槽（24）内の液体吸収剤は、ポンプ（37）によって、積極的に液式除湿モジュール（21）及び再生モジュール（31）それぞれに滞りなく送られる。
【００８０】
ところで、本実施形態１では、液体吸収剤の循環量を、再生モジュール（31）よりも液式除湿モジュール（21）の方を多くすることで、除湿効率を向上することが考えられる。本実施形態１では、液槽（24）が、液式除湿モジュール（21）寄りに位置しているため、液槽（24）内の液体吸収剤を液式除湿モジュール（21）に送るための接続配管（15d,15e,15a）の長さを、液体吸収剤を再生モジュール（31）に送るための接続配管（15d,15e,15b）よりも短くすることができる。従って、ポンプ（37）の動力を小さくすることができる。
【００８１】
また、本実施形態１では、液槽（24）は液式除湿モジュール（21）の除湿側液受部としての機能を兼ねている。これにより、除湿側液受部を液槽（24）とは別途設けずに済むため、その分調湿装置（10）の構成が簡略化できる。
【００８２】
また、本実施形態１では、被処理空気（外気（OA））は、冷媒冷却式除湿モジュール（48）で冷却除湿された後に、液体吸収剤を用いて液式除湿モジュール（21）で更に除湿される。そのため、被処理空気（外気（OA））を液式除湿モジュール（21）のみで除湿する場合に比して、液式除湿モジュール（21）での除湿量は少ない。従って、液式除湿モジュール（21）で除湿に必要とする液体吸収剤の量も、液式除湿モジュール（21）のみで除湿する場合よりも少なくて済む。また、液式除湿モジュール（21）における液体吸収剤の濃度変化は、液式除湿モジュール（21）のみで除湿する場合に比して小さくなるため、濃度の異なる液体吸収剤を１つの液槽（24）にて混合して貯留しても、当該混合による除湿性能への影響は小さい。即ち、１つの液槽（24）にて液式除湿モジュール（21）と再生モジュール（31）それぞれからの液体吸収剤を混合して貯留しても、調湿装置（10）の性能面にて問題となることはない。
【００８３】
また、本実施形態１では、液槽（24）の液出口には１台のポンプ（37）が接続され、そのポンプ（37）から接続配管（15e）を介して液式除湿モジュール（21）及び再生モジュール（31）それぞれに液体吸収剤を分岐して流す構成となっている。このように複数台のポンプを使用せずとも、液式除湿モジュール（21）及び再生モジュール（31）に液体吸収剤を送ることができ、ポンプ（37）の数が少ない分調湿装置（10）の製造コストや消費電力量を削減することができる。また、ポンプ（37）の数が少ないため、その分調湿装置（10）のメンテナンスに要する時間も短縮できる。
【００８４】
≪実施形態２≫
本実施形態２の調湿装置（10）の構成を図２に示す。図２では、冷媒回路（40）の構成は図１と同様であるが、吸収剤回路（15）の構成が若干異なる。なお、図２では、図１と対応する構成に、図１と同様の符合を付している。以下では、構成の異なる部分についてのみ説明する。
【００８５】
液体吸収剤は、上記実施形態１と同様である。
【００８６】
吸収剤回路（15）は、液式除湿モジュール（21）、再生モジュール（31）、ポンプ（37）、流量調整弁（39）、液加熱熱交換器（44）及び液冷却熱交換器（46）が接続配管（15a,15b,15d,15e）によって接続されることで構成されている。このうち、ポンプ（37）、流量調整弁（39）、液加熱熱交換器（44）及び液冷却熱交換器（46）は、上記実施形態１に係るポンプ（37）、流量調整弁（39）、液加熱熱交換器（44）及び液冷却熱交換器（46）と同様である。
【００８７】
液式除湿モジュール（21）は、上記実施形態１と同様の除湿側液体供給部（22）及び除湿側気液接触部（23）を有し、再生モジュール（31）は、上記実施形態１と同様の再生側液体供給部（32）及び再生側気液接触部（33）を有する。
【００８８】
液式除湿モジュール（21）及び再生モジュール（31）は、いずれも、各モジュール（21,31）専用の液受部を有していない。その代わりに、液式除湿モジュール（21）及び再生モジュール（31）の下方には、１つの液槽（24）が設置されている。
【００８９】
液槽（24）は、除湿側気液接触部（23）にて除湿に利用された後の液体吸収剤と再生側気液接触部（33）にて再生された液体吸収剤との両方を受けることができるように、両気液接触部（23,33）の下方に位置する。そして、液槽（24）は、除湿に利用された後の液体吸収剤と再生された液体吸収剤とを、混合して貯留する。即ち、液槽（24）は、除湿側の液受部及び再生側の液受部を兼ねている。従って、本実施形態２では、図１の再生側液受部（34）と、再生側液受部（34）及び液槽（24）を繋ぐ接続配管（15c）とは、設けられていない。
【００９０】
なお、本実施形態２に係る調湿装置（10）の動作は、上記実施形態１と同様である。
【００９１】
このような本実施形態２に係る調湿装置（10）は、上記実施形態１の効果に加え、以下の効果も奏する。
【００９２】
本実施形態２では、液槽（24）は、液式除湿モジュール（21）及び再生モジュール（31）の下方に位置している。これにより、液式除湿モジュール（21）及び再生モジュール（31）それぞれからの液体吸収剤には、重力により液槽（24）に流れ込む力が作用する。従って、液体吸収剤を液式除湿モジュール（21）及び再生モジュール（31）から液槽（24）に流入させるためのポンプを図２に示すように設けずとも良い。
【００９３】
≪実施形態３≫
本実施形態３の調湿装置（10）の構成を図３に示す。図３では、冷媒回路（40）の構成は図１と同様であるが、吸収剤回路（15）の構成が若干異なる。なお、図３では、図１と対応する構成に、図１と同様の符合を付している。以下では、構成の異なる部分についてのみ説明する。
【００９４】
液体吸収剤は、上記実施形態１と同様である。
【００９５】
吸収剤回路（15）は、液式除湿モジュール（21）、再生モジュール（31）、２つのポンプ（37a,37b）、液加熱熱交換器（44）及び液冷却熱交換器（46）が接続配管（15a〜15c,15f〜15i）によって接続されることで構成されている。このうち、液式除湿モジュール（21）、再生モジュール（31）、液加熱熱交換器（44）及び液冷却熱交換器（46）は、上記実施形態１に係る液式除湿モジュール（21）、再生モジュール（31）、液加熱熱交換器（44）及び液冷却熱交換器（46）と同様である。
【００９６】
本実施形態３においても、上記実施形態１と同様、液式除湿モジュール（21）の除湿側気液接触部（23）の下方に位置する１つの液槽（24）から、ポンプ（37a,37b）を介して液加熱熱交換器（44）及び液冷却熱交換器（46）それぞれに、液槽（24）内の液体吸収剤が送られる。しかし、本実施形態３では、上記実施形態１とは異なり、図１の流量調整弁（39）が設けられない代わりに、１つの液槽（24）には２つのポンプ（37a,37b）が接続されている。
【００９７】
即ち、本実施形態３では、再生モジュール（31）に対応してポンプ（37a）が設けられ、液式除湿モジュール（21）に対応してポンプ（37b）が設けられている。ポンプ（37a）の入力側は、接続配管（15f）を介して液槽（24）と接続され、ポンプ（37a）の出力側は、接続配管（15g）を介して液加熱熱交換器（44）の吸収剤通路の入口に接続されている。ポンプ（37b）の入力側は、接続配管（15h）を介して液槽（24）と接続され、ポンプ（37b）の出力側は、接続配管（15i）を介して液冷却熱交換器（46）の吸収剤通路の入口に接続されている。
【００９８】
これにより、液槽（24）内の液体吸収剤は、ポンプ（37a）により液加熱熱交換器（44）を介して再生モジュール（31）に送られ、ポンプ（37b）により液冷却熱交換器（46）を介して液式除湿モジュール（21）に送られる。
【００９９】
上述した構成を有する本実施形態３に係る調湿装置（10）は、ポンプ（37）が１台である際の効果を除き、上記実施形態１と同様の効果を奏する。
【０１００】
≪実施形態４≫
＜構成＞
本実施形態４の調湿装置（10）の構成を図４に示す。本実施形態４に係る調湿装置（10）は、吸収剤回路（15）と冷媒回路（40）とを備える。本実施形態４の調湿装置（10）は、上記実施形態１〜３とは構成が大幅に異なっているため、以下では、構成と動作について説明する。
【０１０１】
液体吸収剤は、上記実施形態１と同様である。
【０１０２】
−吸収剤回路−
吸収剤回路（15）は、２つの液式除湿モジュール（21a,21b）、１つの再生モジュール（31）、１台のポンプ（37）、３つの流量調整弁（39a〜39c）、液加熱熱交換器（44）及び液冷却熱交換器（46）が、接続配管（15a〜15g）によって接続されることで構成されている。
【０１０３】
液式除湿モジュール（21a,21b）は、それぞれ、除湿側液体供給部（22a,22b）と、除湿側気液接触部（23a,23b）と、除湿側液受部（25a,25b）とを有する。
【０１０４】
除湿側液体供給部（22a,22b）は、接続配管（15a,15f）及び流量調整弁（39b,39c）を介して液冷却熱交換器（46）と接続されている。除湿側液体供給部（22a,22b）は、対応する除湿側気液接触部（23a,23b）に、液冷却熱交換器（46）にて冷却された液体吸収剤を供給する。
【０１０５】
各除湿側気液接触部（23a,23b）は、液体吸収剤に被処理空気としての外気（OA）を接触させて該空気を除湿する。除湿された空気は、供給空気（SA）として室内に供給される。
【０１０６】
各除湿側液受部（25a,25b）は、各除湿側気液接触部（23a,23b）の下方に位置する。各除湿側液受部（25a,25b）は、各除湿側気液接触部（23a,23b）において被処理空気（外気（OA））と接触し除湿に使用された液体吸収剤を受ける。各除湿側液受部（25a,25b）と液槽（35）とは、接続配管（15c,15g）によって接続されており、各除湿側液受部（25a,25b）が受けた液体吸収剤（即ち、除湿に使用された液体吸収剤）は、接続配管（15c,15g）それぞれを介して１つの液槽（35）に送られる。
【０１０７】
再生モジュール（31）は、再生側液体供給部（32）と、再生側気液接触部（33）と、液槽（35）とを有する。即ち、本実施形態４では、液槽（35）は、再生モジュール（31）側に設置されている。
【０１０８】
再生側液体供給部（32）は、接続配管（15b）を介して液加熱熱交換器（44）と接続されており、液加熱熱交換器（44）で加熱された液体吸収剤を再生側気液接触部（33）に供給する。
【０１０９】
再生側気液接触部（33）は、液体吸収剤に再生用空気としての室内外気（RA）を接触させて液体吸収剤を再生する。なお、再生された空気は、排気空気（EA）として屋外に排出される。
【０１１０】
液槽（35）は、再生側気液接触部（33）の下方に位置している。液槽（35）は、再生側気液接触部（33）において再生された液体吸収剤を受けるための再生側液受部としての機能を兼ねていると共に、当該液体吸収剤を貯留する。このように、本実施形態４では、再生側液受部と液槽とは併設されていない。
【０１１１】
液槽（35）には、再生され濃度が高まった液体吸収剤のみならず、各液式除湿モジュール（21a,21b）にて除湿に使用され濃度が薄まった液体吸収剤が、混合して貯留される。
【０１１２】
ポンプ（37）は、入力が接続配管（15d）を介して液槽（35）に接続され、出力が接続配管（15e）を介して液加熱熱交換器（44）及び液冷却熱交換器（46）に接続されている。このポンプ（37）により、液槽（35）に貯留された液体吸収剤は、液加熱熱交換器（44）を介して再生モジュール（31）に送られると共に、液冷却熱交換器（46）を介して各液式除湿モジュール（21a,21b）に送られる。
【０１１３】
なお、接続配管（15e）は、一端がポンプ（37）の出力側に接続され、他端が２経路に分岐している。２つの経路とは、流量調整弁（39a）を介して液加熱熱交換器（44）に接続される経路と、液冷却熱交換器（46）に接続された経路である。
【０１１４】
流量調整弁（39a）は、接続配管（15e）上のうち、２経路への分岐点から液加熱熱交換器（44）までの間に位置している。流量調整弁（39a）は、再生モジュール（31）への液体吸収剤の供給量を調整する。流量調整弁（39b）は、接続配管（15a）のうち、液式除湿モジュール（21a）と接続配管（15a,15f）の合流点との間に位置している。流量調整弁（39b）は、液式除湿モジュール（21a）への液体吸収剤の供給量を調整する。流量調整弁（39c）は、接続配管（15f）のうち、液式除湿モジュール（21b）と接続配管（15a,15f）の合流点との間に位置している。流量調整弁（39c）は、液式除湿モジュール（21b）への液体吸収剤の供給量を調整する。
【０１１５】
液加熱熱交換器（44）及び液冷却熱交換器（46）は、上記実施形態１に係る液加熱熱交換器（44）及び液冷却熱交換器（46）と同様である。つまり、液加熱熱交換器（44）は、冷媒回路（40）を流れる冷媒を用いて、再生モジュール（31）に供給される前の液体吸収剤を加熱する。液冷却熱交換器（46）は、冷媒回路（40）を流れる冷媒を用いて、各液式除湿モジュール（21a,21b）に供給される前の液体吸収剤を冷却する。
【０１１６】
−冷媒回路−
冷媒回路（40）は、上記実施形態１において、放熱用凝縮器（43）及び冷媒冷却式除湿モジュール（48）を有さない構成となっている。また、本実施形態４では、ファン（43a）も設けられていない。即ち、本実施形態４では、冷媒冷却式除湿モジュール（48）が設けられないため、該モジュール（48）の発熱（凝縮熱）量をバランスさせるための放熱手段（具体的には、放熱用凝縮器（43）及びファン（43a））が不要となっている。
【０１１７】
具体的に、冷媒回路（40）は、圧縮機（42）、液加熱熱交換器（44）、膨張弁（45）及び液冷却熱交換器（46）が、接続配管（40a〜40d）によってこの順で直列に接続されている。液加熱熱交換器（44）は、冷媒と液体吸収剤とを熱交換して液体吸収剤を加熱するものであって、冷媒の凝縮器として機能する。液冷却熱交換器（46）は、冷媒と液体吸収剤とを熱交換して液体吸収剤を冷却するものであって、冷媒の蒸発器として機能する。
【０１１８】
なお、本実施形態４では、ファン（43a）が設けられていないため、コントローラ（50）によるファン（43a）の運転動作は行われない。コントローラ（50）は、圧縮機（42）の運転動作の制御、流量調整弁（39a）の開度制御を行う。また、コントローラ（50）は、流量調整弁（39b,39c）の開度制御を行うことにより、液式除湿モジュール（21a,21b）への液体吸収剤の供給量を調整する。
【０１１９】
＜調湿装置の動作＞
圧縮機（42）で圧縮された冷媒は、液加熱熱交換器（44）にて液体吸収剤に放熱して凝縮する。液加熱熱交換器（44）を流出した冷媒は、膨張弁（45）で減圧され、液冷却熱交換器（46）に流入する。液冷却熱交換器（46）において、冷媒は、液体吸収剤を冷却して蒸発する。その後、冷媒は、圧縮機（42）に吸入される。
【０１２０】
吸収剤回路（15）では、ポンプ（37）は作動し、流量調整弁（39a〜39c）は所定の開度に調節される。
【０１２１】
各液式除湿モジュール（21a,21b）では、液体吸収剤は、各除湿側液体供給部（22a,22b）から対応する除湿側気液接触部（23a,23b）へと滴下される。滴下された液体吸収剤は、被処理空気（外気（OA））から水分を吸収して該空気を除湿する。各液式除湿モジュール（21a,21b）にて除湿された空気は、供給空気（SA）として室内に供給される。
【０１２２】
被処理空気（外気（OA））から水分を吸収した液体吸収剤は、濃度が薄まったものとなっており、各除湿側液受部（25a,25b）にて一旦受け止められた後、接続配管（15c,15g）を介して液槽（35）に送られて貯留される。液槽（35）に貯留された液体吸収剤は、接続配管（15d）を通過後、接続配管（15e）において液加熱熱交換器（44）側及び液冷却熱交換器（46）側それぞれに分岐して流れる。
【０１２３】
液加熱熱交換器（44）側に流れた液体吸収剤は、当該熱交換器（44）にて冷媒によって加熱され、その後再生モジュール（31）に流入する。再生モジュール（31）に流入した液体吸収剤は、再生側液体供給部（32）から再生側気液接触部（33）へと滴下される。再生側気液接触部（33）には、再生用空気（室内空気（RA））が供給され、滴下された液体吸収剤は、当該空気に水分を放出する。これにより、液体吸収剤は、濃度が高い状態となり、再生される。当該液体吸収剤は、再生側気液接触部（33）の下部にある液槽（35）に貯留される。
【０１２４】
即ち、液槽（35）には、再生モジュール（31）で濃度が濃くなった液体吸収剤と、各液式除湿モジュール（21a,21b）で濃度が薄くなった液体吸収剤とが入れられて混合される。
【０１２５】
なお、再生用空気は、液体吸収体の再生に利用された後、排気空気（EA）として屋外に排出される。
【０１２６】
液冷却熱交換器（46）側に流れた液体吸収剤は、当該熱交換器（46）にて冷媒によって冷却され、その後液式除湿モジュール（21a,21b）それぞれに供給される。各液式除湿モジュール（21a,21b）に流入した液体吸収剤は、再び各除湿側液体供給部（22a,22b）から各除湿側気液接触部（23a,23b）へと滴下される。
【０１２７】
＜効果＞
本実施形態４では、除湿に利用された液体吸収剤と再生された液体吸収剤とが、１つの液槽（35）に混合されて貯留される。即ち、各液式除湿モジュール（21a,21b）及び再生モジュール（31）それぞれに液槽が設けられているのではなく、各液式除湿モジュール（21a,21b）及び再生モジュール（31）に共通した１つの液槽（35）が設けられている。これにより、各液式除湿モジュール（21a,21b）及び再生モジュール（31）それぞれに液槽が設けられる場合よりも、調湿装置（10）のサイズは小さくなる。従って、調湿装置（10）のコストは抑えられる。また、液槽（35）内の液体吸収剤は、ポンプ（37）によって、積極的に各液式除湿モジュール（21a,21b）及び再生モジュール（31）それぞれに滞りなく送られる。
【０１２８】
また、本実施形態４の調湿装置（10）は、複数の液式除湿モジュール（21a,21b）を有しているが、再生モジュール（31）は１つである。従って、少なくとも一方の液式除湿モジュール（21a,21b）が運転している場合は、再生モジュール（31）は、常時運転することとなる。本実施形態４では、このような再生モジュール（31）側にあえて液槽（35）を設けた構成とし、更に、液槽（35）が再生側液受部としての機能を兼ねるように構成している。これにより、液槽（35）が各モジュール（21a,21b,31）とは別に設けられる場合よりも、調湿装置（10）の構成は簡略化されている。また、液槽（35）は、常時運転する再生モジュール（31）に含まれているため、調湿装置（10）が運転するのに常時必要な部分は、常時動作している１つの再生モジュール（31）内に収まっていると言える。
【０１２９】
≪実施形態５≫
本実施形態５の調湿装置（10）の構成を図５に示す。図５では、冷媒回路（40）の構成は図４と同様であるが、吸収剤回路（15）の構成が若干異なる。なお、図５では、図４と対応する構成に、図４と同様の符合を付している。以下では、構成の異なる部分についてのみ説明する。
【０１３０】
液体吸収剤は、上記実施形態１と同様である。
【０１３１】
吸収剤回路（15）は、複数の液式除湿モジュール（21a,21b）、１つの再生モジュール（31）、１つの液槽（35）、１つのポンプ（37）、複数の流量調整弁（39a,39b,39c）、液加熱熱交換器（44）及び液冷却熱交換器（46）が、接続配管（15a〜15h）によって接続されることで構成されている。このうち、再生モジュール（31）及び液槽（35）以外は、上記実施形態４と同様である。
【０１３２】
再生モジュール（31）は、上記実施形態４と同様の再生側液体供給部（32）及び再生側気液接触部（33）に加え、再生側液受部（34）を有する。
【０１３３】
再生側液受部（34）は、再生側気液接触部（33）の下方に位置する。再生側液受部（34）は、再生側気液接触部（33）で再生された液体吸収剤を受ける。再生側液受部（34）と液槽（35）とは、接続配管（15h）によって接続されており、再生側液受部（34）が受けた液体吸収剤（即ち、再生された液体吸収剤）は、接続配管（15h）を介して１つの液槽（35）に送られる。
【０１３４】
液槽（35）は、液式除湿モジュール（21a,21b）及び再生モジュール（31）のいずれにも含まれておらず、これらのモジュール（21a,21b,31）とは別途、タンクユニット（36）内に配置されている。タンクユニット（36）には、液槽（35）の他、接続配管（15d）及びポンプ（37）が含まれている。液槽（35）には、各液式除湿モジュール（21a,21b）にて除湿に使用された後の液体吸収剤が接続配管（15c,15g）を介して流入するとともに、再生モジュール（31）にて再生された液体吸収剤が接続配管（15h）を介して流入する。これらの液体吸収剤は、液槽（35）内にて混合され、ポンプ（37）及び接続配管（15a）を介して各モジュール（21a,21b,31）に送られる。
【０１３５】
このように、本実施形態５では、各液式除湿モジュール（21a,21b）及び再生モジュール（31）にて共通した１つの液槽（35）が設けられている。これにより、各モジュール（21a,21b,31）それぞれに液槽が設けられる場合よりも、調湿装置（10）のサイズは小さくなる。従って、調湿装置（10）のコストを抑えることができる。また、液槽（35）内の液体吸収剤は、ポンプ（37）によって、積極的に各モジュール（21a,21b,31）に滞りなく送られる。
【０１３６】
また、本実施形態５では、液槽（35）を含むタンクユニット（36）が各モジュール（21a,21b,31）とは別に設置されている。これにより、タンクユニット（36）の設置場所の自由度が向上し、液槽（35）を最適な容量とすることができる。更に、液槽（35）に接続された接続配管（15c,15d,15g,15h）の経路が最小となるように、タンクユニット（36）の設置位置を調節することもできる。
【０１３７】
≪実施形態６≫
本実施形態６の調湿装置（10）の構成を図６に示す。図６では、冷媒回路（40）の構成は図１〜図３と同様であるが、吸収剤回路（15）の構成が若干異なる。なお、図６では、図１と対応する構成に、図１と同様の符合を付している。以下では、構成の異なる部分についてのみ説明する。
【０１３８】
液体吸収剤は、上記実施形態１と同様である。
【０１３９】
吸収剤回路（15）は、液式除湿モジュール（21）、再生モジュール（31）、ポンプ（37）、流量調整弁（39）、液加熱熱交換器（44）及び液冷却熱交換器（46）が接続配管（15a,15b,16,15d,15e）によって接続されることで構成されている。このうち、ポンプ（37）、流量調整弁（39）、液加熱熱交換器（44）及び液冷却熱交換器（46）は、上記実施形態１に係るポンプ（37）、流量調整弁（39）、液加熱熱交換器（44）及び液冷却熱交換器（46）と同様である。
【０１４０】
液式除湿モジュール（21）は、上記実施形態１と同様の除湿側液体供給部（22）、除湿側気液接触部（23）を有し、再生モジュール（31）は、上記実施形態１と同様の再生側液体供給部（32）及び再生側気液接触部（33）を有する。
【０１４１】
更に、本実施形態６では、液式除湿モジュール（21）は、除湿側液受部（26）及び液槽（24）を有する。再生モジュール（31）は、再生側液受部（34）を有する。即ち、液式除湿モジュール（21）及び再生モジュール（31）は、各モジュール（21,31）専用の液受部（26,34）を有する。
【０１４２】
除湿側液受部（26）は、除湿側気液接触部（23）の下方に位置する。除湿側液受部（26）は、除湿側気液接触部（23）において被処理空気（外気（OA））と接触し除湿に使用された液体吸収剤を受ける。
【０１４３】
再生側液受部（34）は、再生側気液接触部（33）の下方に位置する。再生側液受部（34）は、再生側気液接触部（33）において室内空気（RA）と接触し再生された液体吸収剤を受ける。
【０１４４】
液槽（24）は、再生モジュール（31）よりも液式除湿モジュール（21）寄り、即ち、除湿側液受部（26）の下方に位置する。液槽（24）は、除湿側液受部（26）及び再生側液受部（34）と、接続配管（16）（第１接続配管に相当）によって繋がれている。液槽（24）には、各液受部（26,34）が受けた液体吸収剤が、接続配管（16）を介して流入され貯留される。
【０１４５】
具体的に、接続配管（16）は、一端が再生側液受部（34）に接続された配管（16a）、一端が除湿側液受部（26）に接続された配管（16b）、及び、一端が液槽（24）に接続された配管（16c）とで構成される。これらの配管（16a,16b,16c）の他端同士は繋がっており、これによって接続配管（16）は形作られている。
【０１４６】
このような接続配管（16）には、液式除湿モジュール（21）にて被処理空気（外気（OA））の除湿に利用された液体吸収剤と、再生モジュール（31）にて再生された液体吸収剤とが流入され、これらの液体吸収剤は当該接続配管（16）内にて混合される。接続配管（16）内にて混合された液体吸収剤は、当該接続配管（16）を介して液槽（24）に流入される。
【０１４７】
即ち、本実施形態６では、上記実施形態１〜実施形態５とは異なり、液体吸収剤の混合動作が液槽（24）内で行われるのではなく、接続配管（16）内にて行われる。
【０１４８】
＜効果＞
本実施形態６では、液式除湿モジュール（21）にて除湿に利用された液体吸収剤と再生モジュール（31）にて再生された液体吸収剤とは、１つの液槽（24）に貯留される。即ち、液式除湿モジュール（21）及び再生モジュール（31）それぞれに液槽が設けられているのではなく、液式除湿モジュール（21）及び再生モジュール（31）に共通した１つの液槽（24）が設けられている。これにより、液式除湿モジュール（21）及び再生モジュール（31）それぞれに液槽が設けられる場合よりも、調湿装置（10）のサイズは小さくなる。従って、調湿装置（10）のコストを抑えられる。そして、液槽（24）内の液体吸収剤は、ポンプ（37）によって、積極的に液式除湿モジュール（21）及び再生モジュール（31）それぞれに滞りなく送られる。
【０１４９】
また、本実施形態６では、液式除湿モジュール（21）にて被処理空気（外気（OA））の除湿に利用された液体吸収剤と再生モジュール（31）にて再生された液体吸収剤とが、接続配管（16）内にて混合された後に液槽（24）に流入される。これにより、上記実施形態１のように液槽（24）にて液体吸収剤の混合を行う場合よりも、液槽（24）には十分に混合され温度が均一となった液体吸収剤が貯留される。従って、液槽（24）内の温度ムラは生じにくくなる。
【０１５０】
液体吸収剤の循環量を、再生モジュール（31）よりも液式除湿モジュール（21）の方を多くすることで、除湿効率を向上することが考えられる。本実施形態６では、液槽（24）が、液式除湿モジュール（21）寄りに位置しているため、液槽（24）内の液体吸収剤を液式除湿モジュール（21）に送るための接続配管（15d,15e,15a）の長さを、液体吸収剤を再生モジュール（31）に送るための接続配管（15d,15e,15b）よりも短くすることができる。従って、ポンプ（37）の動力を小さくすることができる。
【０１５１】
また、本実施形態６では、上記実施形態１と同様、被処理空気（外気（OA））は、冷媒冷却式除湿モジュール（48）で冷却除湿された後に、液体吸収剤を用いて液式除湿モジュール（21）で更に除湿される。そのため、被処理空気（外気（OA））を液式除湿モジュール（21）のみで除湿する場合に比して、液式除湿モジュール（21）での除湿量は少ない。従って、液式除湿モジュール（21）で除湿に必要とする液体吸収剤の量も、液式除湿モジュール（21）のみで除湿する場合よりも少なくて済む。また、液式除湿モジュール（21）における液体吸収剤の濃度変化は、液式除湿モジュール（21）のみで除湿する場合に比して小さくなるため、濃度の異なる液体吸収剤を１つの液槽（24）にて貯留しても、濃度の異なる液体吸収剤の混合による除湿性能への影響は小さい。即ち、１つの液槽（24）にて、液式除湿モジュール（21）と再生モジュール（31）それぞれからの液体吸収剤を混合したものを貯留しても、調湿装置（10）の性能面にて問題となることはない。
【０１５２】
また、本実施形態６では、上記実施形態１と同様、液槽（24）には１台のポンプ（37）が接続され、そのポンプ（37）から接続配管（15e）を介して液式除湿モジュール（21）及び再生モジュール（31）それぞれに液体吸収剤を分岐して流す構成となっている。このように複数台のポンプを使用せずとも、液式除湿モジュール（21）及び再生モジュール（31）に液体吸収剤を送ることができ、ポンプ（37）の数が少ない分調湿装置（10）の製造コストや消費電力量を削減することができる。また、ポンプ（37）の数が少ないため、その分調湿装置（10）のメンテナンスに要する時間も短縮できる。
【０１５３】
≪実施形態７≫
本実施形態７の調湿装置（10）の構成を図７に示す。図７では、冷媒回路（40）の構成は図１〜図３，図６と同様であるが、吸収剤回路（15）の構成が若干異なる。なお、図７では、図１と対応する構成に、図１と同様の符合を付している。以下では、構成の異なる部分についてのみ説明する。
【０１５４】
液体吸収剤は、上記実施形態１と同様である。
【０１５５】
吸収剤回路（15）は、液式除湿モジュール（21）、再生モジュール（31）、ポンプ（37）、流量調整弁（39）、液加熱熱交換器（44）及び液冷却熱交換器（46）が接続配管（15a,15b,17,18,15d,15e）によって接続されることで構成されている。このうち、ポンプ（37）、流量調整弁（39）、液加熱熱交換器（44）及び液冷却熱交換器（46）は、上記実施形態１に係るポンプ（37）、流量調整弁（39）、液加熱熱交換器（44）及び液冷却熱交換器（46）と同様である。
【０１５６】
液式除湿モジュール（21）は、上記実施形態１と同様の除湿側液体供給部（22）、除湿側気液接触部（23）を有し、再生モジュール（31）は、上記実施形態１と同様の再生側液体供給部（32）及び再生側気液接触部（33）を有する。
【０１５７】
更に、本実施形態７では、液式除湿モジュール（21）は、除湿側液受部（26）及び液槽（24）を有する。再生モジュール（31）は、再生側液受部（34）を有する。即ち、液式除湿モジュール（21）及び再生モジュール（31）は、各モジュール（21,31）専用の液受部（26,34）を有する。
【０１５８】
除湿側液受部（26）は、除湿側気液接触部（23）の下方に位置する。除湿側液受部（26）は、除湿側気液接触部（23）において被処理空気（外気（OA））と接触し除湿に使用された液体吸収剤を受ける。
【０１５９】
再生側液受部（34）は、再生側気液接触部（33）の下方に位置する。再生側液受部（34）は、再生側気液接触部（33）において室内空気（RA）と接触し再生された液体吸収剤を受ける。
【０１６０】
これらの液受部（26,34）は、接続配管（17）（第２接続配管に相当）によって繋がれている。具体的に、接続配管（17）の一端は再生側液受部（34）に接続され、接続配管（17）の他端は除湿側液受部（26）に接続されている。
【０１６１】
液槽（24）は、再生モジュール（31）よりも液式除湿モジュール（21）寄り、即ち、除湿側液受部（26）の下方に位置する。液槽（24）は、接続配管（17）とは別の接続配管（18）（液送部に相当）によって、除湿側液受部（26）と繋がれている。液槽（24）には、各液受部（26,34）が受けた液体吸収剤が、接続配管（17,18）を介して流入され貯留される。
【０１６２】
具体的に、再生モジュール（31）にて再生された液体吸収剤は、再生側液受部（34）から接続配管（17）を介して除湿側液受部（26）に流入する。除湿側液受部（26）では、当該液体吸収剤と、除湿側気液接触部（23）から滴下されてきた液体吸収剤（即ち被処理空気（外気（OA）の除湿に利用された液体吸収剤）とが混合される。除湿側液受部（26）にて混合された液体吸収剤は、接続配管（18）を介して液槽（24）に流入される。
【０１６３】
即ち、本実施形態７では、上記実施形態１〜実施形態５とは異なり、液体吸収剤の混合動作が液槽（24）内で行われるのではなく、除湿側液受部（26）にて行われる。
【０１６４】
＜効果＞
本実施形態７では、液式除湿モジュール（21）にて除湿に利用された液体吸収剤と再生モジュール（31）にて再生された液体吸収剤とは、１つの液槽（24）に貯留される。即ち、液式除湿モジュール（21）及び再生モジュール（31）それぞれに液槽が設けられているのではなく、液式除湿モジュール（21）及び再生モジュール（31）に共通した１つの液槽（24）が設けられている。これにより、液式除湿モジュール（21）及び再生モジュール（31）それぞれに液槽が設けられる場合よりも、調湿装置（10）のサイズは小さくなる。従って、調湿装置（10）のコストを抑えられる。そして、液槽（24）内の液体吸収剤は、ポンプ（37）によって、積極的に液式除湿モジュール（21）及び再生モジュール（31）それぞれに滞りなく送られる。
【０１６５】
また、本実施形態７では、再生モジュール（31）にて再生された液体吸収剤は、再生側液受部（34）から接続配管（17）を介して除湿側液受部（26）に流入した後、被処理空気の除湿に利用された液体吸収剤と除湿側液受部（26）にて混合される。混合された後の液体吸収剤は、接続配管（18）を介して液槽（24）に流入される。これにより、上記実施形態１のように液槽（24）にて液体吸収剤の混合を行う場合よりも、液槽（24）には十分に混合され温度が均一となった液体吸収剤が貯留される。従って、液槽（24）内の温度ムラは生じにくくなる。
【０１６６】
液体吸収剤の循環量を、再生モジュール（31）よりも液式除湿モジュール（21）の方を多くすることで、除湿効率を向上することが考えられる。本実施形態７では、上記実施形態６と同様、液槽（24）が、液式除湿モジュール（21）寄りに位置しているため、液槽（24）内の液体吸収剤を液式除湿モジュール（21）に送るための接続配管（15d,15e,15a）の長さを、液体吸収剤を再生モジュール（31）に送るための接続配管（15d,15e,15b）よりも短くすることができる。従って、ポンプ（37）の動力を小さくすることができる。
【０１６７】
また、本実施形態７では、上記実施形態１と同様、被処理空気（外気（OA））は、冷媒冷却式除湿モジュール（48）で冷却除湿された後に、液体吸収剤を用いて液式除湿モジュール（21）で更に除湿される。そのため、被処理空気（外気（OA））を液式除湿モジュール（21）のみで除湿する場合に比して、液式除湿モジュール（21）での除湿量は少ない。従って、液式除湿モジュール（21）で除湿に必要とする液体吸収剤の量も、液式除湿モジュール（21）のみで除湿する場合よりも少なくて済む。また、液式除湿モジュール（21）における液体吸収剤の濃度変化は、液式除湿モジュール（21）のみで除湿する場合に比して小さくなるため、濃度の異なる液体吸収剤を１つの液槽（24）に貯留しても、濃度の異なる液体吸収剤の混合による除湿性能への影響は小さい。即ち、１つの液槽（24）にて、液式除湿モジュール（21）と再生モジュール（31）それぞれからの液体吸収剤を混合したものを貯留しても、調湿装置（10）の性能面にて問題となることはない。
【０１６８】
また、本実施形態７では、上記実施形態１と同様、液槽（24）には１台のポンプ（37）が接続され、そのポンプ（37）から接続配管（15e）を介して液式除湿モジュール（21）及び再生モジュール（31）それぞれに液体吸収剤を分岐して流す構成となっている。このように複数台のポンプを使用せずとも、液式除湿モジュール（21）及び再生モジュール（31）に液体吸収剤を送ることができ、ポンプ（37）の数が少ない分調湿装置（10）の製造コストや消費電力量を削減することができる。また、ポンプ（37）の数が少ないため、その分調湿装置（10）のメンテナンスに要する時間も短縮できる。
【０１６９】
≪その他の実施形態≫
冷媒冷却式除湿モジュール（48）は、被処理空気を冷却除湿できれば良い。そのため、被処理空気を冷却除湿する際に使用する媒体は、冷媒に代えて水等であってもよい。
【０１７０】
再生モジュール（31）は、複数設けられていても良い。
【０１７１】
例えば実施形態１〜３において、冷媒冷却式除湿モジュール（48）の上流側に、別途顕熱処理用の熱交換器が設置されてもよい。顕熱処理用の熱交換器は、冷媒冷却式除湿モジュール（48）とは異なる熱源（例えば地中熱）を用いて、被処理空気である外気（OA）を顕熱処理してもよい。
【０１７２】
放熱用凝縮器（43）が放熱する放熱流体は、室内の空気（RA）以外であればよく、水であってもよい。この場合、放熱用凝縮器（43）は冷媒と水との熱交換器で構成され、ファン（43a）の代わりに水を放熱用凝縮器（43）に供給するためのポンプを有する水循環回路を別途設けてもよい。
【０１７３】
放熱用凝縮器（43）及びファン（43a）は必須ではなく、設けられていなくても良い。
【０１７４】
放熱用凝縮器（43）が設けられているとしても、放熱用凝縮器（43）への放熱流体の供給が停止される条件は、冷媒の凝縮温度が所定値以下の場合に限定されない。例えば、供給制御部（51）は、潜熱負荷が所定負荷以下である場合に、放熱用凝縮器（43）にて処理するべき冷媒冷却式除湿モジュール（48）での発熱（凝縮熱）量は存在しないと判断して、ファン（43a）の運転を停止してもよい。この場合、供給制御部（51）は、潜熱負荷が所定負荷を超える場合、放熱用凝縮器（43）にて処理するべき冷媒冷却式除湿モジュール（48）での発熱（凝縮熱）量が存在すると判断して、ファン（43a）を運転させる。潜熱負荷が所定負荷を超えるか否かは、外気（OA）の露点温度が冷媒の蒸発温度よりも高いか否かによって判断されてもよい。即ち、再生モジュール（31）の放熱分のみでは２つの除湿モジュール（21,48）の発熱量を処理することができない程に、冷媒冷却式除湿モジュール（48）での発熱（凝縮熱）量がある場合に、ファン（43a）が運転して放熱用凝縮器（43）での放熱が行われる。
【０１７５】
実施形態７では、再生された液体吸収剤と除湿に利用された液体吸収剤とが、除湿側液受部（26）にて混合される場合について説明したが、液体吸収剤の混合場所は、図８に示すように、再生側液受部（34）内であってもよい。具体的に、図８では、接続配管（18）（液送部に相当）は、除湿側液受部（26）と再生側液受部（34）とを繋ぐ接続配管（17）（第２接続配管に相当）とは別の配管であって、再生側液受部（34）と液槽（24）とを繋いでいる。除湿側液受部（26）にて被処理空気の除湿に利用された液体吸収剤は、除湿側液受部（26）から接続配管（17）を介して再生側液受部（34）に流入した後、再生された液体吸収剤と再生側液受部（34）にて混合される。液槽（24）には、混合された後の液体吸収剤が接続配管（18）を介して流入される。これによっても、上記実施形態７と同様、液槽（24）にて液体吸収剤の混合を行う場合よりも、液槽には十分に混合された液体吸収剤が貯留される。
【０１７６】
なお、図８では、液槽（24）は、再生モジュール（31）内に設置されているが、上記実施形態７と同様に液式除湿モジュール（21）内に設置されていてもよい。
【０１７７】
図７及び図８では、液送部（18）が配管で構成される場合を説明した。しかし、液送部は、液体吸収剤を液槽（24）に送るものであればどのような構成であってもよく、配管に限定されずともよい。例えば、液送部は、図７においては除湿側液受部（26）の底部に孔が形成され、その孔から液槽（24）へ液体吸収剤が滴下されるような構成であることができる。また、液送部は、図８においては再生側液受部（34）の底部に孔が形成され、その孔から液槽（24）へ液体吸収剤が滴下されるような構成であることができる。
【産業上の利用可能性】
【０１７８】
以上説明したように、本発明は、液式除湿部及び再生部それぞれに液槽が設けられる場合よりも、調湿装置のサイズは小さいものにできるといった効果を有する。従って、本発明は、サイズの大きい調湿装置が設置困難な場所にも設置することができる調湿装置として有用である。
【符号の説明】
【０１７９】
10  調湿装置
15c  接続配管（配管）
16  接続配管（第１接続配管）
17  接続配管（第２接続配管）
18  接続配管（液送部）
21  液式除湿モジュール（液式除湿部）
22  除湿側気液接触部
24,35  液槽
26  除湿側液受部
31  再生モジュール（再生部）
32  再生側気液接触部
34  再生側液受部
37,37a,37b  ポンプ
48  冷媒冷却式除湿モジュール（冷却除湿部）
【手続補正２】
【補正対象書類名】特許請求の範囲
【補正対象項目名】全文
【補正方法】変更
【補正の内容】
【特許請求の範囲】
【請求項１】
液体吸収剤に被処理空気中の水分を吸収させて該被処理空気を除湿する液式除湿部（21）と、
上記液体吸収剤の水分を再生用空気に放出させて上記液体吸収剤を再生する再生部（31）と、
上記液式除湿部（21）にて上記被処理空気の除湿に利用された上記液体吸収剤と上記再生部（31）にて再生された上記液体吸収剤とを貯留する１つの液槽（24）と、
上記液槽（24）に貯留された上記液体吸収剤を上記液式除湿部（21）及び上記再生部（31）それぞれに送るポンプ（37）と
を備え、
上記液式除湿部（21）は、
上記液体吸収剤と上記被処理空気とを接触させるための除湿側気液接触部（23）と、
上記除湿側気液接触部（23）の下方において上記被処理空気と接触した上記液体吸収剤を受けるための除湿側液受部（26）と
を有し、
上記再生部（31）は、
上記液体吸収剤と上記再生用空気とを接触させるための再生側気液接触部（33）と、
上記再生側気液接触部（33）の下方において上記再生用空気と接触した上記液体吸収剤を受けるための再生側液受部（34）と
を有し、
上記再生側液受部（34）と上記除湿側液受部（26）とを繋ぐ第２接続配管（17）と、
上記除湿側液受部（26）から上記液槽（24）に上記液体吸収剤を送る液送部（18）と、を更に備え、
上記再生部（31）にて再生された上記液体吸収剤は、上記再生側液受部（34）から上記第２接続配管（17）を介して上記除湿側液受部（26）に流入した後、上記被処理空気の除湿に利用された上記液体吸収剤と上記除湿側液受部（26）にて混合され、
上記液槽（24）には、混合された後の上記液体吸収剤が上記液送部（18）を介して流入され、
上記液槽（24）は、上記除湿側液受部（26）の下方に位置する
ことを特徴とする調湿装置。
【請求項２】
液体吸収剤に被処理空気中の水分を吸収させて該被処理空気を除湿する液式除湿部（21）と、
上記液体吸収剤の水分を再生用空気に放出させて上記液体吸収剤を再生する再生部（31）と、
上記液式除湿部（21）にて上記被処理空気の除湿に利用された上記液体吸収剤と上記再生部（31）にて再生された上記液体吸収剤とを貯留する１つの液槽（24）と、
上記液槽（24）に貯留された上記液体吸収剤を上記液式除湿部（21）及び上記再生部（31）それぞれに送るポンプ（37）と
を備え、
上記液式除湿部（21）は、
上記液体吸収剤と上記被処理空気とを接触させるための除湿側気液接触部（23）と、
上記除湿側気液接触部（23）の下方において上記被処理空気と接触した上記液体吸収剤を受けるための除湿側液受部（26）と
を有し、
上記再生部（31）は、
上記液体吸収剤と上記再生用空気とを接触させるための再生側気液接触部（33）と、
上記再生側気液接触部（33）の下方において上記再生用空気と接触した上記液体吸収剤を受けるための再生側液受部（34）と
を有し、
上記再生側液受部（34）と上記除湿側液受部（26）とを繋ぐ第２接続配管（17）と、
上記再生側液受部（34）から上記液槽（24）に上記液体吸収剤を送る液送部（18）と、を更に備え、
上記液式除湿部（21）にて上記被処理空気の除湿に利用された上記液体吸収剤は、上記除湿側液受部（26）から上記第２接続配管（17）を介して上記再生側液受部（34）に流入した後、再生された上記液体吸収剤と上記再生側液受部（34）にて混合され、
上記液槽（24）には、混合された後の上記液体吸収剤が上記液送部（18）を介して流入され、
上記液槽（24）は、上記再生側液受部（34）の下方に位置する
ことを特徴とする調湿装置。
【請求項３】
請求項１または請求項２において、
上記液槽（24）は、上記再生部（31）よりも上記液式除湿部（21）寄りに位置する
ことを特徴とする調湿装置。
【請求項４】
請求項１から請求項３のいずれか１つにおいて、
上記液式除湿部（21）よりも上記被処理空気の流れ方向上流側に位置し、上記液式除湿部（21）にて除湿される前の上記被処理空気を冷却して除湿する冷却除湿部（48）、
を更に備えることを特徴とする調湿装置。